(57)【要約】【課題】温度変化に左右されず適切なパワーのレーザによりディスクへの情報の追記又は書込み若しくは書換えをディスク装置に実行させる。【解決手段】情報が記録されるディスク２００の内周部２０５にレーザによる試書きを行うことで適切なパワーのレーザ出力を行わせるＯＰＣを行い、ディスク２００にレーザを照射させるピックアップ装置１を用いてディスク２００への情報の書込み若しくは書換えを行うディスク装置１００の制御方法において、ディスク装置本体内にディスクを入れて第一回目のＯＰＣを行う時に、ピックアップ装置１の温度を測定して第一回目のＯＰＣを行う時のピックアップ装置１の温度および第一回目のＯＰＣにより算出されたレーザ出力値を記憶させ、第一回目のＯＰＣを行った時のピックアップ装置１の温度と、現時点のピックアップ装置１の温度とを比較して温度差を求め、温度差が所定の温度差よりも大きい時に、第二回目のＯＰＣを行う。【選択図】図１
2005276411.tif 000002
【特許請求の範囲】
【請求項１】
情報が記録されるディスクの内周部にレーザによる試書きを行うことで適切なパワーのレーザ出力を行わせるＯＰＣ処理部を備え、該ディスクにレーザを照射させるピックアップ装置が用いられて、該ディスクへの情報の書込み若しくは書換えが行われるディスク装置において、
前記ピックアップ装置の温度を測定する温度測定手段と、
ディスク装置本体内に前記ディスクが入れられてから第一回目のＯＰＣが行われるときに、第一回目のＯＰＣが行われるときの該ピックアップ装置の温度および第一回目のＯＰＣにより算出されたレーザ出力値を記憶する記憶手段と、
第一回目のＯＰＣが行われたときの該ピックアップ装置の温度と、現時点の該ピックアップ装置の温度とを比較して判定する温度比較判定手段と
を備え、
該温度比較判定手段により判定された温度差が所定の温度差よりも大きいときであって、且つ、該温度比較判定手段により判定された温度差に基づくレーザ出力値の補正が行われていないときに、第二回目のＯＰＣが行われることを特徴とするディスク装置。
【請求項２】
前記温度測定手段に続くシステム制御手段において、
前記ピックアップ装置が作動するときの温度は、低温から高温まで複数の温度区間に分けられ、
第一回目の前記ディスクへの情報の書込み若しくは書換えが行われるときに、第一回目のＯＰＣが行われたときの該ピックアップ装置の温度は、各温度区間のうちの一温度区間内に収められ、且つ、現在の該ピックアップ装置の温度が該一温度区間内に収められるときであって、該ディスクへの情報の書込み若しくは書換えが行われるときに、第二回目のＯＰＣが行われることなく、第二回目の該ディスクへの情報の書込み若しくは書換えが行われることを特徴とする請求項１記載のディスク装置。
【請求項３】
第二回目のＯＰＣが行われるときの前記ピックアップ装置の温度および第二回目のＯＰＣにより算出されたレーザ出力値を記憶する他の記憶手段を備え、
第二回目のＯＰＣが行われたときに、該ピックアップ装置の温度および該レーザ出力値は、該他の記憶手段に記憶されることを特徴とする請求項１又は２記載のディスク装置。
【請求項４】
第二回目のＯＰＣが行われたときの前記ピックアップ装置の温度と、現時点の該ピックアップ装置の温度との温度差が、前記所定の温度差よりも大きいときに、第三回目のＯＰＣが行われることなく、前記記憶手段に記憶された温度およびレーザ出力値と、前記他の記憶手段に記憶された温度およびレーザ出力値とに基づいて、現時点の該ピックアップ装置のレーザ出力値が補正されることを特徴とする請求項３記載のディスク装置。
【請求項５】
情報が記録されるディスクの内周部にレーザによる試書きを行うことで適切なパワーのレーザ出力を行わせるＯＰＣを行い、該ディスクにレーザを照射させるピックアップ装置を用いて該ディスクへの情報の書込み若しくは書換えを行うディスク装置の制御方法において、
ディスク装置本体内に前記ディスクを入れて第一回目のＯＰＣを行うときに、前記ピックアップ装置の温度を測定して第一回目のＯＰＣを行うときの該ピックアップ装置の温度および第一回目のＯＰＣにより算出されたレーザ出力値を記憶させ、
第一回目のＯＰＣを行ったときの該ピックアップ装置の温度と、現時点の該ピックアップ装置の温度とを比較して温度差を求め、
該温度差が所定の温度差よりも大きいときに、第二回目のＯＰＣを行うことを特徴とするディスク装置の制御方法。
【発明の詳細な説明】
【技術分野】
【０００１】
本発明は、例えば、ディスクの情報を再生させることや、ディスクに情報を記録させることが可能なディスク装置およびその制御方法に関するものである。
【背景技術】
【０００２】
光ビームを用いて信号の読取り動作が行われるディスク装置として、例えばコンパクトディスク（Compact Disc）の情報を読取り可能なコンパクトディスクプレーヤ（図示せず）が挙げられる。コンパクトディスク（Compact Disc）は、「ＣＤ」と略称される。据置き型ＣＤプレーヤ（図示せず）においては、プレーヤ本体の前面に、ＣＤをプレーヤ本体内に装着可能とさせると共に、プレーヤ本体内のＣＤを排出可能とさせるトレー（図示せず）が設けられている。不図示のトレーには、所定の位置にＣＤを載置可能なＣＤ載置部（図示せず）が形成されている。また、不図示のＣＤプレーヤ本体の略中央部に、ＣＤを駆動させるターンテーブル（図示せず）が設けられている。また、不図示のＣＤプレーヤ本体の略中央部に、ＣＤから信号の読出し動作を行うピックアップ装置が設けられている。
【０００３】
図６は、従来のディスク装置に装備されたピックアップ装置を示す説明図である。
【０００４】
光ピックアップ（optical pickup）は、「ＯＰＵ」と略称されている。レーザドライバ５１０からレーザダイオード５２０へ電流が流されて、レーザダイオード５２０からレーザ光が出力される。レーザダイオード（Laser Diode ）は、「ＬＤ」と略称される。レーザドライバ５１０は、ＬＤ５２０を駆動させてＬＤ５２０からレーザ光を出させるレーザ駆動回路を構成するものである。このようなことから、レーザドライバは、「ＬＤ Driver 」等と呼ばれ「ＬＤＤ」と略称される。ＬＤＤ５１０からＬＤ５２０に電流が供給され、ＬＤ５２０から出射されたレーザ光により、ディスク７００に情報の記録が行われたり、ディスク７００に記録された情報の再生が行われたりする。
【０００５】
ＬＤ５２０から出力されたレーザ光は、回折格子５３０、中間レンズ５４０、ハーフミラー５５０、対物レンズ５６０を介して、ディスク７００に照射される。回折格子５３０は、光の回折を利用して、ＬＤ５２０から出射されたレーザ光を幾つかのビーム（図示せず）に分ける。ハーフミラー（Half Mirror ）は、「ＨＭ」と略称される。また、対物レンズ（objective lens）は、「ＯＢＬ」と略称される。対物レンズ５６０は、ディスク７００の信号部７０１へレーザ光を集光させる役目を果たす。ディスク７００から反射されたレーザ光の一部は、ＰＤＩＣ５７０などに戻される。「ＰＤＩＣ」は、「Photo Diode IC」の略称である。ＰＤＩＣ５７０は、光を受けて、その信号を電気信号に変えて、ピックアップ装置５０１のレンズホルダ（図示せず）のサーボ機構（図示せず）を動作させるための信号を出力する。
【０００６】
また、ＬＤ５２０から出力されるレーザ光の一部は、フロントモニタダイオード５８０に入る。フロントモニタダイオード（Front Monitor Diode ）は、「ＦＭＤ」と略称される。ＦＭＤ５８０は、ＬＤ５２０から出力されるレーザ光をモニタして、ＬＤ５２０を制御するためにフィードバックをかけるものとされている。
【０００７】
前記ＬＤＤ５１０、前記ＬＤ５２０、前記回折格子５３０、前記中間レンズ５４０、前記ＨＭ５５０、前記ＯＢＬ５６０、前記ＰＤＩＣ５７０、前記ＦＭＤ５８０は、ハウジング（図示せず）などに取り付けられている。また、前記ＬＤＤ５１０、前記ＬＤ５２０、前記ＰＤＩＣ５７０、前記ＦＭＤ５８０は、フレキシブルプリント回路体５０５に通電可
能に接続されている。フレキシブルプリント回路体（Flexible Printed Circuit）は、「ＦＰＣ」と略称される。ＦＰＣが製造される工程について説明すると、例えば銅箔などの金属箔となる複数の回路導体が、絶縁シートに印刷されて並設される。その上に保護層が設けられて、ＦＰＣが構成される。
【０００８】
光学式ピックアップ装置５０１は、上述した各種のものを備えるものとして構成されている。なお、光学式ピックアップ装置５０１は、図示されたもの以外に、他の構成要素（図示せず）も備えるが、図６においては、それらの構成要素は、便宜上、省略した。
【０００９】
ピックアップ装置５０１のＬＤ５２０から出射されたレーザ光は、ＯＢＬ５６０を通り抜け、プレーヤ本体内に装備されたＣＤ等の光ディスク７００に当てられる。ＬＤ５２０から出射されたレーザ光により、光ディスク７００に情報の記録が行われたり、光ディスク７００に記録された情報が再生されたりする。このようにして、光ディスク装置における情報の記録または再生が行われる。
【００１０】
ＬＤＤ５１０に電流が供給されることで、ＬＤ５２０からレーザ光が出射される。このとき、ＬＤ５２０から熱が発生する。この熱により、ＬＤ５２０自体もしくはＬＤ５２０の周辺の温度が変化する。また、ＬＤ５２０における発振波長は、温度に依存するため、ＬＤ５２０自体もしくはＬＤ５２０の周辺の温度が変化すると、ＬＤ５２０から出射されるレーザ光の波長が変動する。
【００１１】
上記ピックアップ装置５０１は、ＣＤプレーヤに限られることなく、デスクトップ型パーソナルコンピュータや、ノート型パーソナルコンピュータ等にも装備される（何れも図示せず）。パーソナルコンピュータ（Personal Computer ）は、「ＰＣ」と略称とされている。デスクトップ型コンピュータは、卓上型コンピュータとされ、机の上で使用可能なコンピュータである。しかしながら、デスクトップ型コンピュータは、容易に持運びができないものである。これに対し、ノート型コンピュータは、例えばこのものが平面視されたときに略Ａ４判もしくはこれ以下の大きさの汎用パーソナルコンピュータである。ノート型ＰＣは、ブック型ＰＣとも呼ばれている。ノート型ＰＣは、デスクトップ型ＰＣと異なる構造のものである。ノート型ＰＣは、ディスプレイと、ＰＣ本体とが、一体構造のものとされ、ＰＣ本体に対し、ディスプレイが折りたたまれることで、薄型サイズのものとなる。
【００１２】
また、近年、ＣＤのほかに、ＣＤ−Ｒ、ＤＶＤ±Ｒなどの追記型の光ディスクや、ＣＤ−ＲＷ、ＤＶＤ±ＲＷ、ＤＶＤ−ＲＡＭなどの書込み／消去や書換え可能なタイプの光ディスクなどといった各種光ディスクが、ＰＣなどの各種機器にて使用可能とされつつある。「ＤＶＤ」は、「Digital Versatile Disc」もしくは「Digital Video Disc」の略称である。また、「ＣＤ−Ｒ」もしくは「ＤＶＤ±Ｒ」の「Ｒ」は、「Recordable」の略称である。ＣＤ−ＲもしくはＤＶＤ±Ｒは、情報の書込みが可能なものである。また、「ＣＤ−ＲＷ」もしくは「ＤＶＤ±ＲＷ」の「ＲＷ」は、「Re-Writable 」の略称である。ＣＤ−ＲＷもしくはＤＶＤ±ＲＷは、情報の書換えが可能なものである。また、「ＤＶＤ−ＲＡＭ」は、「Digital Versatile Disc Random Access Memory 」の略称である。「ＤＶＤ−ＲＡＭ」は、情報の読み書き／消去が可能なものである。
【００１３】
また、従来の光ディスクの記録装置および記録方法として、記録開始直後における記録品質を向上させることのできるものが開示されている（例えば特許文献１参照）。
【特許文献１】特開２００１−３１９３３８号公報（第１−３頁、第１図）
【発明の開示】
【発明が解決しようとする課題】
【００１４】
ところで、ＰＣの電源が入れられてＰＣの電源がＯＮの状態とされたときに、ＰＣ内における温度は、まだ低い。ＰＣの電源がＯＮの状態とされて、ＰＣのプログラムのスタート時におけるＰＣ内の温度は、比較的低い温度とされている。しかしながら、ＰＣが長時間に亘って使用されていると、ＰＣ内における温度は、高温となる可能性があった。
【００１５】
ＰＣの電源がＯＮの状態とされてから、最初に光ディスク７００に記録が行われるときのＰＣ内における温度と、次に光ディスク７００に記録が行われるときのＰＣ内における温度とは、異なる温度とされている可能性が高い。最初に光ディスク７００に記録が行われるときのＰＣ内における温度と、ＰＣが長時間に亘って使用された後に、光ディスク７００に記録が行われるときのＰＣ内における温度とには、大きな温度差が生じることが考えられる。
【００１６】
光ディスク装置が用いられて追記可能な光ディスク７００に情報が追記されたり、書換え可能な光ディスク７００に情報が記録されたり書き換えられたりするときに、ＰＣ内の温度差が大きい場合、光ディスク７００への情報の記録が不安定となる。
【００１７】
従来の光ディスク装置内のドライブ装置においては、光ディスク７００に対する情報の記録が行われるときに、最初に情報の記録が行われるときにＯＰＣが実施されるだけであって、光ディスク装置内に入れられた光ディスク７００の入替えが行われない限り、再度、ＯＰＣは行われない。
【００１８】
「ＯＰＣ」とは、光ディスク７００などのメディアへデータが書き込まれるときに、メディア内周部７０５に試書きを行い、最適なパワーのレーザ出力を行わせることを意味する。「ＯＰＣ」は、「Optimum Power Control 」の略称である。また、試書きが行われるメディア内周部７０５は、記録レーザパワーの校正が行われるときに必要とされる領域とされ、「ＰＣＡ」と省略される。「ＰＣＡ」は、「Power Calibration Area」の略称である。
【００１９】
ＣＤ−ＲもしくはＣＤ−ＲＷまたはＤＶＤ±ＲもしくはＤＶＤ±ＲＷなどの情報を記録可能な光ディスク７００が光ディスク装置内に入れられ、最初にＯＰＣが行われたのちに、ＰＣ内における光ディスク装置の温度が上昇して、光ディスク装置の温度が大幅に変化しても、レーザ出力のパワーは、最初に行われたＯＰＣに基づいて定められたパワーとされる。
【００２０】
例えばＰＣの電源がＯＮの状態とされ、光ディスク７００に対するディスク装置の情報の追記または書込み若しくは書換え等の作業が可能とされたときの温度が約５℃とされ、この温度状況下でＯＰＣが行われたのちに、ＰＣ内のディスク装置の温度が約２５〜５０℃の温度に上昇した場合であっても、ＰＣのディスク装置には、温度が約５℃のときに行われたＯＰＣによるレーザの出力値が記憶され続ける。光ディスク装置内に入れられた光ディスク７００の入替えが行われない限り、前記レーザの出力値は、光ディスクに対する情報の追記または書込み若しくは書換え時におけるレーザ出力の基準値として、ＰＣのディスク装置に記憶され続ける。
【００２１】
上述した如く、レーザの発振波長は温度に依存する。ＬＤ５２０の発振波長は温度に依存するため、ＬＤ５２０自体もしくはＬＤ５２０周辺の温度が変化すると、ＬＤ５２０から出射されるレーザ光の波長も変動する。
【００２２】
従って、温度が約５℃のときにＯＰＣが行われ、そのときのＯＰＣによりＰＣの光ディスク装置内に記憶されたレーザの出力値は、ＰＣ内の光ディスク装置の温度が約２５〜５０℃となったときのレーザの出力値と異なる。ＰＣ内の光ディスク装置の温度が約２５〜
５０℃となったときのレーザの出力値は、最適な出力値にとならない。ＰＣ内における温度が約２５〜５０℃の温度のときに、光ディスク７００への情報の追記もしくは書換えが行われる場合、レーザ光の波長は、最適な波長からややずらされた波長となる。
【００２３】
また、上記特許文献１（特開２００１−３１９３３８号公報）に示される従来の光ディスクの記録装置および記録方法にあっては、光ディスク装置の記録装置内部の温度が温度検出手段でモニタされ、予め定められた値以上の温度変化が検出されたときに、ＯＰＣが行われることも可能なものとされている。しかしながら、予め定められた値以上の温度変化が検出されたときにＯＰＣが行われる場合、光ディスクに対して度々ＯＰＣが行われ、無駄にＯＰＣが行われることが懸念される。
【００２４】
光ディスク７００に無駄なＯＰＣが行われると、光ディスク７００のＰＣＡは、無駄に使われる。ＣＤ−Ｒ、ＤＶＤ±Ｒなどの追記型の光ディスク７００においては、ＯＰＣが度々行われると光ディスク７００のＰＣＡ部７０５が減少する。ＰＣＡ部７０５が略全て使用された光ディスク７００は、ＯＰＣが実行不能なものとされ、このような光ディスク７００に対する情報の書込みや、情報の書換えは、不可能となる。従って、光ディスク７００のＰＣＡ部７０５が無駄に使われることは、好ましいこととされない。
【００２５】
本発明は、上記した点に鑑み、温度変化に左右されることなく、適切なパワーのレーザにより、ディスクへの情報の追記または書込み若しくは書換えが実行可能とされるディスク装置およびその制御方法を提供することを目的とする。
【課題を解決するための手段】
【００２６】
上記目的を達成するために、本発明の請求項１に係るディスク装置は、情報が記録されるディスクの内周部にレーザによる試書きを行うことで適切なパワーのレーザ出力を行わせるＯＰＣ処理部を備え、該ディスクにレーザを照射させるピックアップ装置が用いられて、該ディスクへの情報の書込み若しくは書換えが行われるディスク装置において、前記ピックアップ装置の温度を測定する温度測定手段と、ディスク装置本体内に前記ディスクが入れられてから第一回目のＯＰＣが行われるときに、第一回目のＯＰＣが行われるときの該ピックアップ装置の温度および第一回目のＯＰＣにより算出されたレーザ出力値を記憶する記憶手段と、第一回目のＯＰＣが行われたときの該ピックアップ装置の温度と、現時点の該ピックアップ装置の温度とを比較して判定する温度比較判定手段とを備え、該温度比較判定手段により判定された温度差が所定の温度差よりも大きいときであって、且つ、該温度比較判定手段により判定された温度差に基づくレーザ出力値の補正が行われていないときに、第二回目のＯＰＣが行われることを特徴とする。
【００２７】
上記構成により、例えば温度特性が均一とされていないピックアップ装置を備えるディスク装置とされていても、ピックアップ装置から照射されるレーザ波長などのレーザ出力値は、ピックアップ装置の温度変化に左右されることなく適切なものとなる。従って、ディスクに対する情報の書込み若しくは書換えが良好に行われるディスク装置の提供が可能となる。また、このようなディスク装置は、パワーマージンの狭いディスク装置にも対応可能とされる。パワーマージンについて説明すると、ディスクへの情報の書込み若しくは書換えが行われるときのレーザ出力は、常に一定ではない。パワーマージンとは、レーザの出力量の変化に対し、どのくらいの余裕をもって対応できるものかといったことが判断できるものとされている。パワーマージンが広いものほど、情報が記録されたディスクの互換性が高いものとされる。パワーマージンが広いものほど、読取りエラーが低減化されたものである。また、「ＯＰＣ」とは、ディスクへ情報が記録されるときに、ディスクの内周部に試書きが行われることで適切なパワーのレーザ出力を行わせることを意味する。「ＯＰＣ」は、「Optimum Power Control 」の略称である。
【００２８】
請求項２に係るディスク装置は、請求項１記載のディスク装置において、前記温度測定手段に続くシステム制御手段において、前記ピックアップ装置が作動するときの温度は、低温から高温まで複数の温度区間に分けられ、第一回目の前記ディスクへの情報の書込み若しくは書換えが行われるときに、第一回目のＯＰＣが行われたときの該ピックアップ装置の温度は、各温度区間のうちの一温度区間内に収められ、且つ、現在の該ピックアップ装置の温度が該一温度区間内に収められるときであって、該ディスクへの情報の書込み若しくは書換えが行われるときに、第二回目のＯＰＣが行われることなく、第二回目の該ディスクへの情報の書込み若しくは書換えが行われることを特徴とする。
【００２９】
上記構成により、ディスクのＰＣＡが無駄に使われることは防止される。ピックアップ装置の作動温度を低温から高温までの複数の温度区間に分け、各温度区間内におけるレーザ出力値の変動値を例えばリニアな傾斜とされる温度特性のものとして予め定めておけば、現在のピックアップ装置の温度が一温度区間内で変動したときに、第二回目のＯＰＣが行われることなく、第二回目のディスクへの情報の書込み若しくは書換えが行われる。従って、情報が記録されるために、ディスクの内周部にレーザによる試書きが行われるためのＰＣＡが無駄に使用されるといったことは回避される。「ＰＣＡ」とは、ディスクに対する記録レーザパワーの校正が行われるときに必要とされる領域である。「ＰＣＡ」は、「Power Calibration Area」の略称である。
【００３０】
請求項３に係るディスク装置は、請求項１又は２記載のディスク装置において、第二回目のＯＰＣが行われるときの前記ピックアップ装置の温度および第二回目のＯＰＣにより算出されたレーザ出力値を記憶する他の記憶手段を備え、第二回目のＯＰＣが行われたときに、該ピックアップ装置の温度および該レーザ出力値は、該他の記憶手段に記憶されることを特徴とする。
【００３１】
上記構成により、第二回目のＯＰＣが行われたときのピックアップ装置の温度と、第二回目のＯＰＣが行われたときのレーザ出力値とは、他の記憶手段に確実に記憶される。
【００３２】
請求項４に係るディスク装置は、請求項３記載のディスク装置において、第二回目のＯＰＣが行われたときの前記ピックアップ装置の温度と、現時点の該ピックアップ装置の温度との温度差が、前記所定の温度差よりも大きいときに、第三回目のＯＰＣが行われることなく、前記記憶手段に記憶された温度およびレーザ出力値と、前記他の記憶手段に記憶された温度およびレーザ出力値とに基づいて、現時点の該ピックアップ装置のレーザ出力値が補正されることを特徴とする。
【００３３】
上記構成により、ディスクのＰＣＡが無駄に使われることは防止される。第二回目のＯＰＣが行われたのちに、第二回目のＯＰＣが行われたときのピックアップ装置の温度と、現時点のピックアップ装置の温度との温度差が、所定の温度差よりも大きいときでも、さらに第三回目のＯＰＣを行ってピックアップ装置から照射されるレーザ波長などのレーザ出力値を補正させるといった必要性は無くされる。従って、情報が記録されるために、ディスクの内周部にレーザによる試書きが行われるためのＰＣＡが無駄に使用されるといったことは回避される。また、これにより、ピックアップ装置から照射されるレーザパワーの温度特性に対応して、適切なレーザ出力値の補正が行われる。
【００３４】
請求項５に係るディスク装置の制御方法は、情報が記録されるディスクの内周部にレーザによる試書きを行うことで適切なパワーのレーザ出力を行わせるＯＰＣを行い、該ディスクにレーザを照射させるピックアップ装置を用いて該ディスクへの情報の書込み若しくは書換えを行うディスク装置の制御方法において、ディスク装置本体内に前記ディスクを入れて第一回目のＯＰＣを行うときに、前記ピックアップ装置の温度を測定して第一回目のＯＰＣを行うときの該ピックアップ装置の温度および第一回目のＯＰＣにより算出され
たレーザ出力値を記憶させ、第一回目のＯＰＣを行ったときの該ピックアップ装置の温度と、現時点の該ピックアップ装置の温度とを比較して温度差を求め、該温度差が所定の温度差よりも大きいときに、第二回目のＯＰＣを行うことを特徴とする。
【００３５】
上記構成により、例えば温度特性が均一とされていないピックアップ装置を備えるディスク装置とされていても、ピックアップ装置から照射されるレーザ波長などのレーザ出力値は、ピックアップ装置の温度変化に左右されることなく適切なものとなる。従って、ディスクに対する情報の書込み若しくは書換えが良好に行われるディスク装置の制御方法というものの提供が可能となる。
【発明の効果】
【００３６】
以上の如く、請求項１又は５記載の発明によれば、例えば温度特性が均一とされていないピックアップ装置を備えるディスク装置とされていても、ピックアップ装置から照射されるレーザ波長などのレーザ出力値は、ピックアップ装置の温度変化に左右されることがない。ピックアップ装置の温度変化に影響されることなく、ピックアップ装置から照射されるレーザ波長などのレーザ出力値を適切なものとさせることができる。これにより、ディスクに対する情報の書込み若しくは書換えが良好に行われるものを提供することができる。
【００３７】
請求項２記載の発明によれば、ディスクのＰＣＡが無駄に使われることを防止することができる。ピックアップ装置の作動温度を低温から高温までの複数の温度区間に分け、各温度区間内におけるレーザ出力値の変動値を例えばリニアな傾斜とされる温度特性のものとして予め定めておけば、現在のピックアップ装置の温度が一温度区間内で変動したときに、第二回目のＯＰＣが行われることなく、第二回目のディスクへの情報の書込み若しくは書換えが行われる。従って、情報が記録されるために、ディスクの内周部にレーザによる試書きが行われるためのＰＣＡが無駄に使用されるといったことを回避することができる。
【００３８】
請求項３記載の発明によれば、第二回目のＯＰＣが行われたときのピックアップ装置の温度と、第二回目のＯＰＣが行われたときのレーザ出力値とを、確実に他の記憶手段に記憶させることができる。
【００３９】
請求項４記載の発明によれば、ディスクのＰＣＡが無駄に使われることを防止することができる。第二回目のＯＰＣが行われたのちに、第二回目のＯＰＣが行われたときのピックアップ装置の温度と、現時点のピックアップ装置の温度との温度差が、所定の温度差よりも大きいときでも、さらに第三回目のＯＰＣを行ってピックアップ装置から照射されるレーザ波長などのレーザ出力値を補正させるといった必要性は無くされる。従って、情報が記録されるために、ディスクの内周部にレーザによる試書きが行われるためのＰＣＡが無駄に使用されるといったことを回避することができる。また、これにより、ピックアップ装置から照射されるレーザパワーの温度特性に対応して、適切なレーザ出力値の補正を行うことができる。
【発明を実施するための最良の形態】
【００４０】
以下に本発明に係るディスク装置およびその制御方法の一実施形態を図面に基づいて詳細に説明する。
【００４１】
図１は、本発明に係るディスク装置およびその制御方法の一実施形態を示すブロック図、図２は、ディスク装置内を示す説明図である。
【００４２】
光ディスク装置１００における各方向について、図２を用いて説明する。トレー本体１
５１およびディスク装置本体１０１に対し、トレー１５０のパネル１５５が位置する側を光ディスク装置１００の前側とし、これの反対側を後側とする。また、薄型の光ディスク装置１００において、平面視された側を光ディスク装置１００の表側もしくは上側とし、これの逆側から眺めた側を光ディスク装置１００の裏側もしくは下側とする。なお、この明細書における「前」、「後」、「表」、「裏」、「上」、「下」の定義は、光ディスク装置１００を説明するための便宜上のものとされる。
【００４３】
図１および図２に示す光ディスク装置１００は、ＣＤ−Ｒ、ＤＶＤ±Ｒなどの追記型の光ディスクや、ＣＤ−ＲＷ、ＤＶＤ±ＲＷ、ＤＶＤ−ＲＡＭなどの書込み消去や書換え可能なタイプの光ディスクなどといった各種光ディスクに対応可能なものとされる。光ディスク装置１００が用いられて、光ディスク２００に記録された情報などのデータ再生が行われる。また、光ディスク装置１００が用いられて、光ディスク２００に情報などのデータ記録が行われる。
【００４４】
光ディスク装置１００内に入れられる光ディスク２００（図１，図２）は、円板状のものとして形成されている。ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などのデータ書込み／消去やデータ書換え可能なタイプの光ディスクなどが挙げられる。また、ディスクとして、二層の信号記録面（２０１）（図１）が設けられ、データ書込み／消去やデータ書換えが可能とされた光ディスク（図示せず）等も挙げられる。光ディスク２００（図１）の記録部２０１は、金属薄膜などの金属層等により形成されている。金属薄膜などから形成される層の記録面２０１に、情報やデータなどが記録される。
【００４５】
光ディスク装置１００内にてデータなどの情報の記録が可能な光ディスク２００においては、光ディスク２００の記録部２０１（図１）に、データ／情報が光ディスク２００に保存されるためのグルーブ（図示せず）が設けられている。グルーブ（groove）とは、細長いへこみを意味する。円板状光ディスク２００が平面視されたときに（図２）、グルーブは、螺旋状に形成されている。光ディスク２００の信号面側から、光ディスク２００を眺めたときに、グルーブは、渦巻状のものとされる。グルーブは、非常に小さいものとされているので、グルーブは、目視不能とされる。図１において、便宜上、破線を用いて、光ディスク２００の記録部２０１を示した。
【００４６】
上述した如く、「ＣＤ」は、「Compact Disc」の略称である。また、「ＤＶＤ」は、「Digital Versatile Disc」もしくは「Digital Video Disc」の略称である。また、「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」の「ＲＷ」は、「ReWritable」の略称である。「ＣＤ−ＲＷ」または「ＤＶＤ−ＲＷ」もしくは「ＤＶＤ＋ＲＷ」は、データ／情報の書換えが可能なものである。また、「ＤＶＤ−ＲＡＭ」は、「Digital Versatile Disc Random Access Memory 」の略称である。「ＤＶＤ−ＲＡＭ」は、データ／情報の読み書き／消去が可能なものである。
【００４７】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤやＤＶＤには、赤色のレーザが用いられて
いたが、「ＨＤ  ＤＶＤ」の光ディスク２００に記録されたデータ／情報が読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味する。
【００４８】
図１は、ディスク装置を示すシステム構成図である。
【００４９】
この光ディスク装置１００は、上記各種光ディスクに対応可能なものとされる。光ディスク装置１００は、各種光ディスクに対して記録／再生が可能なドライブ装置とされている。
【００５０】
光ディスク装置１００内において、例えば音楽鑑賞用ＣＤが再生されるときの光ディスク２００の通常回転数は、約２００〜５００ｒｐｍである。ｒｐｍ（revolutions per minute）とは、１分間あたりの回転数すなわち毎分回転数を意味する。例えば、ＣＤは、線速度一定方式の光ディスクとされているので、光ディスク２００の内周部２０６における信号内周部２０６ｓで、音楽鑑賞用ＣＤのデータが再生されるときの光ディスク２００の通常回転数は、約５００ｒｐｍである。これに対し、光ディスク２００の外周部２０７における信号外周部２０７ｓで、音楽鑑賞用ＣＤのデータが再生されるときの光ディスク２００の通常回転数は、約２００ｒｐｍである。
【００５１】
光ディスク２００の内周部２０６における信号内周部２０６ｓと、光ディスク２００の外周部２０７における信号外周部２０７ｓとの間で、音楽鑑賞用ＣＤのデータが再生されるときの光ディスク２００の通常回転数は、光ディスク装置１００内において回転制御が行われることにより、例えば、５００ｒｐｍ、４００ｒｐｍ、３００ｒｐｍ、２００ｒｐｍというように可変する。
【００５２】
近年、光ディスク２００に記録されたデータ／情報の読出し速度や、光ディスク２００にデータ／情報を記録させるときの書込み速度や書換え速度の高速化が要求されている。光ディスク装置１００は、通常のディスク回転数に対し、例えば、１倍速、２倍速、４倍速、８倍速、１２倍速、１６倍速、２４倍速、３２倍速、４８倍速、６４倍速のディスク回転速度で、光ディスク２００にデータ／情報を記録可能なものとされる。これらの速度は、光ディスク２００の種類などにより異なる。また、光ディスク２００にデータ／情報を記録させるときの光ディスク２００の回転方式は、線速度一定方式もしくは角速度一定方式などに基づいて行われる。
【００５３】
線速度一定方式は、ＣＬＶ方式と呼ばれている。「ＣＬＶ」は、「Constant Linear Velocity」の略称である。角速度一定方式は、ＣＡＶ方式と呼ばれている。「ＣＡＶ」は、「Constant Angular Velocity 」の略称である。
【００５４】
光ディスク装置１００は、通常のディスク回転数に対し、例えば約１〜６４倍速のディスク回転速度で、光ディスク２００にデータ／情報を記録可能な光ディスク装置１００とされる。通常のディスク回転数に対し、例えば約１倍速の速度で光ディスク２００にデータ／情報の記録が行われる場合、データの記録工程は、非常に安定した状態で行われる。従って、この光ディスク２００は、高品質なデータ記録が行われた光ディスク２００とされる。また、通常のディスク回転数に対し、例えば約８倍速の速度で光ディスク２００にデータ／情報の記録が行われる場合、データの記録工程に甚だしく時間がかけられることなく、データの記録工程は、略安定した状態で行われる。従って、この光ディスク２００は、通常の品質のデータ記録が行われた光ディスク２００とされる。また、光ディスク２００へのデータ／情報の記録作業は、異常に長い時間を要することなく通常の時間内で終了する。また、通常のディスク回転数に対し、例えば約６４倍速の速度で光ディスク２０
０にデータ／情報の記録が行われる場合、データの記録工程は、迅速に行われる。従って、光ディスク２００へのデータ／情報の記録作業は、速やかに終了する。
【００５５】
この光ディスク装置１００における光ディスク２００の通常の回転方向は、図２の如く、矢印Ｐに沿った方向とされる。光ディスク装置１００の設計仕様や光ディスク２００の種類などにもよるが、矢印Ｐに沿った方向に対し、例えば反対方向に光ディスク２００が回動する光ディスク装置１００も使用可能とされる。
【００５６】
光ディスク装置１００は、レーザドライバ１２やレーザダイオード２０や温度測定手段２１などを備える光学ヘッド装置１と、フロントエンド処理部２と、光学ヘッドサーボ回路３と、エンコーダ５およびデコーダ６を備えるエンコーダ／デコーダ部４と、インタフェース部７と、データを読み書き可能な記憶手段８と、システム制御手段９と、別の記憶手段１０と、レーザ出力制御回路１１と、スピンドルモータ１３と、モータ駆動回路１４と、モータ制御回路１５と、算出手段２３と、温度比較判定手段２４と、レーザ出力補正手段２５と、ＯＰＣ処理手段２６と、一記憶手段３１と、他の記憶手段３２とを備えるものとされている。
【００５７】
光ディスク装置１００について詳しく説明すると、この光ディスク装置１００は、光ディスク２００の記録部２０１に情報を記録可能とさせ、且つ、光ディスク２００の記録部２０１の情報を再生可能とさせた光学式ピックアップ装置１と、光学式ピックアップ装置１に接続されたフロントエンド処理部２と、光学式ピックアップ装置１に接続された光学式ピックアップサーボ回路３と、光学式ピックアップ装置１のレーザドライバ１２に接続されたレーザ出力制御回路１１と、レーザ出力制御回路１１に接続されたエンコーダ／デコーダ部４と、エンコーダ／デコーダ部４を構成するデコーダ５およびエンコーダ６と接続されたインタフェース部７と、エンコーダ／デコーダ部４を構成するデコーダ５およびエンコーダ６と接続されたＲＡＭ８と、光学式ピックアップ装置１の温度センサ２１からＡ／Ｄコンバータ２２を介して接続されたシステム制御用マイクロコンピュータ９と、Ａ／Ｄコンバータ２２に続くレーザ出力値算出部２３と、レーザ出力値算出部２３に続く温度比較判定部２４と、温度比較判定部２４に続くレーザ出力補正部２５と、レーザ出力補正部２５に続くＯＰＣ処理部２６と、レーザ出力値算出部２３および温度比較判定部２４に接続された第一記憶部３１と、同じくレーザ出力値算出部２３および温度比較判定部２４に接続された第二記憶部３２と、システム制御用マイクロコンピュータ９に接続されたＲＯＭ１０と、光ディスク２００を回動させるスピンドルモータ１３と、スピンドルモータ１３を駆動させるモータ駆動回路１４と、モータ駆動回路１４の制御を行うモータ制御回路１５とを備えるものとして構成されている。
【００５８】
前記Ａ／Ｄコンバータ２２は、温度センサ２１により検知されたアナログの温度信号をデジタルの温度信号に変換させる。Ａ／Ｄコンバータ（Analog to Digital Converter ）は、アナログ値からデジタル値への変換を行うチップまたは基板を意味する。また、前記レーザ出力値算出部２３と、前記温度比較判定部２４と、前記レーザ出力補正部２５と、前記ＯＰＣ処理部２６とは、システム制御用マイクロコンピュータ９内に備えられている。また、前記「ＲＡＭ」は、「random access memory」の略称である。「ＲＡＭ」とは、記憶場所や順序に関係することなく略同一時間でデータにアクセスできる記憶装置を意味する。また、前記「ＲＯＭ」は、「read-only memory」の略称である。「ＲＯＭ」とは、読出し専用メモリを意味する。
【００５９】
光学式ピックアップ装置１のピックアップ本体１ａ（図２）を構成する各部のものについて説明する。光学式ピックアップ装置１のピックアップ本体１ａを構成する各々のものは、例えば図６に示された光学式ピックアップ装置５０１を構成する各々のものと略同じものとされる。
【００６０】
光学式ピックアップ装置１（図１，図２）は、光ディスク２００に近接され、光ディスク２００に向けてレーザ光を照射させて、光ディスク２００にデータ／情報を記録させたり、光ディスク２００のデータ／情報を書き換えたり、光ディスク２００のデータ／情報を再生させたり、光ディスク２００のデータ／情報を消去させたりする光学ヘッド装置１とされている。上述した如く、光ピックアップ（optical pickup）は、「ＯＰＵ」と略称される。
【００６１】
光学式ピックアップ装置１は、光ディスク２００にレーザ光を照射させる対物レンズ５０と、対物レンズ５０に向けてレーザ光を出射するレーザダイオード２０と、レーザダイオード２０から出射されるレーザ光の記録パワー値もしくは再生パワー値を検出するフロントモニタダイオード４０と、レーザダイオード２０へ電流を送るレーザドライバ１２と、レーザドライバ１２の温度を検知する温度センサ２１とを備えて構成される。
【００６２】
光ピックアップ装置１（図１）のレーザドライバ１２からレーザダイオード２０へ電流が流されて、レーザダイオード２０からレーザ光が出力される。レーザダイオード２０は、主に二極の半導体素子により構成されている。レーザダイオード２０は、二極の半導体素子から構成された発光されるものである。レーザダイオードは、発光素子などと呼ばれて用いられている。発光素子とされるレーザダイオード（Laser Diode ）は、上述した如く「ＬＤ」と略称されている。
【００６３】
光学式ピックアップ装置１が用いられて、光ディスク２００にデータ／情報が記録されるときには、高いレーザパワーが必要とされる。そのため、光ディスク２００にデータ／情報が記録されるときには、ＬＤ２０から高エネルギーのレーザ光が出射される。光ディスク２００にデータ／情報が記録されるときには、約数十ｍＷ〜数百ｍＷ（ミリワット）のレーザパワーが必要とされる。このような状態で光学式ピックアップ装置１のＬＤ２０が使用されると、ＬＤ２０の温度は上昇し、ＬＤ２０は高温状態となる。
【００６４】
光学式ピックアップ装置１のＬＤ２０から出射されるレーザ光もしくはレーザ光線のパワーは、例えば３ｍＷ〜３００ｍＷのパワーとされる。光学式ピックアップ装置１が用いられて、光ディスク２００に記録されたデータ／情報が読み出されるときには、ＬＤ２０から出射されるレーザ光のパワーは、数ｍＷの少ないパワーで十分とされる。光ディスク２００に記録されたデータ／情報が読み出されるときには、ＬＤ２０から出射されるレーザ光のパワーは、例えば約５ｍＷ前後の少ないパワーで十分とされる。
【００６５】
しかしながら、光学式ピックアップ装置１が用いられて、光ディスク２００にデータ／情報が記録されるときには、多くのレーザパワーが必要とされる。光ディスク２００にデータ／情報が記録されるときには、光ディスク２００の種類や、光ディスク２００の記録用回転速度などにもよるが、約数十ｍＷ〜数百ｍＷのレーザパワーが必要とされる。このときに、ＬＤ２０の温度は上昇し、ＬＤ２０は高温状態となる。
【００６６】
発光するＬＤ２０から生じた熱により、ＬＤ２０自体もしくはＬＤ２０の周辺の温度が変化する。また、ＬＤ２０における発振波長は、温度に依存するため、ＬＤ２０自体もしくはＬＤ２０の周辺の温度が変化すると、ＬＤ２０から出射されるレーザ光の波長が変動する。ＬＤ２０から出射されるレーザ光の波長が大幅に変動すると、光学式ピックアップ装置１が用いられて光ディスク２００にデータ／情報が記録されるときに、データ記録品質の低い光ディスク２００が形成される。また、ＬＤ２０から出射されるレーザ光の波長が大幅に変動すると、光学式ピックアップ装置１が用いられて光ディスク２００のデータ／情報が読み取られるときに、読取りエラーが生じることも心配される。このようなことから、レーザ光の波長は、なるべく変動することなく略一定の波長に保たれることが好ま
しい。
【００６７】
例えばＣＤ用レーザ光の波長は、約７７０〜８０５ｎｍ（ナノメータ）とされる。また、ＤＶＤ用レーザ光の波長は、約６３０〜６７０ｎｍとされる。また、「ＨＤ  ＤＶＤ」もしくは「Blu-ray Disc」用レーザ光の波長は、約３９０〜４２０ｎｍとされる。これらの各波長が、各数値範囲内においてなるべく変動することなく略一定の波長に保たれるために、ＬＤ２０の使用動作温度は、例えば約−１０〜７０℃、好ましくは約０〜７０℃とされる。
【００６８】
レーザドライバ１２は、ＬＤ２０を駆動させてＬＤ２０からレーザ光を出射させるレーザ駆動回路とされている。このようなことから、レーザドライバは、「ＬＤ Driver 」等と呼ばれ「ＬＤＤ」と略称されている。ＬＤＤ１２は、一個の基板の表面もしくは内部において、多くの回路素子が一体に結合されて構成された超小型構造の電子回路とされている。ＬＤＤ１２は、いわゆる集積回路（ＩＣ）として構成されている。「ＩＣ」は、「Integrated Circuit」の略称である。ＬＤ２０から高エネルギーのレーザ光を出射させるときに、ＬＤＤ１２に高負荷がかけられる。ＬＤ２０から高エネルギーのレーザ光を出射させるために、ＬＤＤ１２に高負荷がかけられる。これにより、ＬＤＤ１２は発熱する。ＬＤ２０およびＬＤＤ１２が、光学式ピックアップ装置１の主な熱源とされる。
【００６９】
光ディスク装置に要求される仕様などにもよるが、例えば光ディスク装置１００内における使用動作温度が約０℃未満の低い温度状態のときに、光ディスク２００にデータ／情報の書込みが行われようとされた場合、光ディスク装置１００の暖気が十分とされていないこと等から、光ディスク装置１００内の光ピックアップ装置１などの各部にストレスが生じることが心配される。例えば光ディスク装置１００内に装備されたＬＤＤ１２の作動性は、やや厳しくなる。光ディスク装置１００の設計仕様などにもよるが、光ディスク装置１００内における使用動作温度は、例えばマイナス約１０℃前後とされる。
【００７０】
また、例えば光ディスク装置１００内における使用動作温度が５０℃以上の高い温度とされた場合、光ディスク装置１００内に装備されたＬＤＤ１２の作動性は、使用動作温度が例えば２５℃のときよりも、やや厳しいものとなる。また、光ディスク装置１００内における使用動作温度が６０℃以上の高い温度とされた場合、光ディスク装置１００内に装備されたＬＤＤ１２の作動性は、使用動作温度が５０℃のときにおける作動性よりも厳しいものとなる。さらに、光ディスク装置１００内における使用動作温度が７０℃を超える高い温度とされた場合、光ディスク装置１００内に装備されたＬＤＤ１２の作動性は、使用動作温度が５０℃のときにおける作動性よりもさらに厳しいものとなる。ＬＤＤ１２は、ＩＣとして構成されているので、使用温度により動作特性が変化する。
【００７１】
これらのことから、光ディスク装置１００を用いて、例えば光ディスク２００にデータ／情報を記録させるときや、光ディスク２００のデータ／情報を再生させるときや、光ディスク２００のデータ／情報を消去させるときに、光ディスク装置１００内における使用動作温度は、例えば約−１０〜７０℃、好ましくは約０〜７０℃とされる。光ディスク装置１００の設計仕様などにもよるが、光学式ピックアップ装置１の耐熱温度は、例えば約７０℃とされる。また、光ディスク装置１００内におけるより好ましい使用動作温度は、光ディスク装置１００の設計仕様などにもよるが、例えば約０〜５０℃とされる。従って、光ディスク装置１００内における使用動作温度を、例えば約７０℃以下、好ましくは約６０℃以下、より好ましくは約５０℃以下に維持させることが望ましい。
【００７２】
また、ＬＤ２０の温度を検知可能な温度センサ２１が、光ピックアップ装置１に装備されている。温度センサ２１として、例えばサーミスタなどが挙げられる。サーミスタ（thermistor）とは、温度によって抵抗が変化する半導体を意味する。光ピックアップ装置１
を構成するピックアップ本体１ａ（図２）は、小型／軽薄なものとされていることから、小型温度センサ２１（図１）として、例えばチップタイプのサーミスタ（図示せず）が用いられることが好ましい。
【００７３】
光学式ピックアップ装置１の温度センサ２１からシステム制御用マイクロコンピュータ９に向けて発せられたアナログ信号は、温度センサ２１と、システム制御用マイクロコンピュータ９との間に設けられたＡ／Ｄコンバータ２２にて、アナログ値からデジタル値へと変換される。
【００７４】
光ピックアップ装置１のＬＤ２０から出力されたレーザ光は、回折格子（図示せず）、ダイバージェントレンズ（図示せず）、レフレクトミラー（図示せず）、対物レンズ５０などを介して、ディスク２００に照射される。
【００７５】
不図示の回折格子は、光の回折を利用して、ＬＤ２０から出射されたレーザ光を幾つかに分けるものとされている。詳しく説明すると、回折格子は、光の回折を利用して、ＬＤ２０から出射されたレーザ光を一つのメインビーム（図示せず）と、二つのサブビーム（図示せず）とに分ける役割を果たす。また、不図示のダイバージェントレンズは、ＬＤ２０から出射されたレーザ光を集めるものとされる。また、レフレクトミラー（Reflect Mirror）は、「ＲＭ」と略称される。ＲＭは、一部のレーザ光を反射させ、一部のレーザ光を透過させるものとされている。また、対物レンズ（objective lens）は、「ＯＢＬ」と略称される。ＯＢＬ５０は、データ／情報が記録される光ディスク２００の記録部２０１へレーザ光を集光させる役割を果たす。
【００７６】
不図示の回折格子、不図示のダイバージェントレンズ、不図示のＲＭ、ＯＢＬ５０などを経由したレーザ光は、光ディスク２００の記録部２０１に対応した最適状態のレーザ光となる。ＯＢＬ５０から光ディスク２００の記録部２０１に向けて最適状態のレーザ光が照射される。
【００７７】
ディスク２００から反射されたレーザ光の一部は、ＰＤＩＣ（図示せず）などに戻される。「ＰＤＩＣ」は、「Photo Diode IC」の略称である。不図示のＰＤＩＣは、光を受けて、その信号を電気信号に変えて、光ピックアップ装置１のレンズホルダ６０（図２）のサーボ機構（図示せず）を動作させるための信号を出力する。
【００７８】
また、ＬＤ２０（図１）から出力されるレーザ光の一部は、フロントモニタダイオード４０に入る。フロントモニタダイオード（Front Monitor Diode ）は、「ＦＭＤ」と略称される。ＦＭＤ４０は、ＬＤ２０から出力されるレーザ光をモニタして、ＬＤ２０を制御するためにフィードバックをかける受光素子とされる。光学式ピックアップ装置１のピックアップ本体１ａは、上記各種のものを備えて構成されている。ピックアップ本体１ａは、光学式ピックアップ装置１の主な部分を構成するピックアップ主体部１ａとされる。
【００７９】
ピックアップ本体１ａは、光信号などにより、光ディスク２００に記録されたデータなどの情報を読取り可能なものとして構成されている。光学式ピックアップ装置１のピックアップ本体１ａは、ＬＤ２０から出射されたレーザ光を光ディスク２００に集光させるＯＢＬ５０と、ＯＢＬ５０を保持するレンズホルダ６０（図２）とを少なくとも備えるものとして構成されている。
【００８０】
また、ディスク装置１００を構成する光学式ピックアップ装置１は、ピックアップ本体１ａを光ディスク２００の記録・再生対象の記録トラック面に対応した位置に移動させるスライド機構と、光ディスク２００に出射したレーザ光を記録・再生対象の記録トラックに追従させる制御すなわちトラッキング制御を行うためのトラッキング機構と、光ディス
ク２００に出射したレーザ光の焦点ずれを補正する制御すなわちフォーカス制御を行うためのフォーカス機構とを備えるものとして構成されている（何れも図示せず）。
【００８１】
光学式ピックアップ装置１の主な部分を構成するピックアップ本体１ａは、トレー１５０に装備された不図示の送りモータにより、トレー１５０の内外方向Ｑに沿って、トレー１５０に設けられた略長方形のレーザ出射用開口部１５３下を移動する。また、光学式ピックアップ装置１のピックアップ本体１ａを構成するレンズホルダ６０は、光ディスク２００に対し、ＯＢＬ５０のフォーカス方向およびトラッキング方向に動作可能なものとされている。
【００８２】
光ディスク装置１００内において、光学式ピックアップ装置１の主体部を構成するピックアップ本体１ａの通常待機位置は、図２の如く、光ディスク２００の内周部２０６側とされている。ピックアップ本体１ａの通常待機位置は、光ディスク装置１００の略中央部１００ｍに設けられたターンテーブル１２０側とされている。
【００８３】
ターンテーブル１２０を備えるスピンドルモータ１３および光学式ピックアップ装置１は、ディスク装置本体１０１に対して移動可能なトレー１５０に装備されている。図２に示すトレー１５０に代えて、例えば光ディスク２００が載せられたり置かれたりする載置部が設けられたトレー（１５０）も使用可能とされる。また、そのようなトレー（１５０）を備えると共に、ターンテーブル（１２０）を備えるスピンドルモータ（１３）およびピックアップ本体（１ａ）が、ディスク装置本体（１０１）に内蔵されたディスク装置（１００）も使用可能とされる。
【００８４】
フロントエンド処理部２（図１）は、ＲＦアンプと、トラッキング誤差信号生成回路と、フォーカス誤差信号生成回路とを備えるものとされている（何れも図示せず）。なお、ＲＦアンプは、光学式ピックアップ装置１のＦＭＤ４０において、受光光量に応じて生成された電気信号に基づいて、記録／再生対象の記録トラック上にある記録マークの有無を判別するためのＲＦ信号を生成する。「ＲＦ」は、「radio frequency 」の略称である。「ＲＦ」とは、電波と略同じ高い周波数に変換された信号を意味する。フロントエンド処理部２は、ＬＤＤ１２に接続されている。
【００８５】
光学式ピックアップサーボ回路３は、フロントエンド処理部２にて生成されたトラッキング誤差信号やフォーカス誤差信号などといった各種誤差信号に基づいて、光学式ピックアップ装置１のトラッキングサーボ機構（図示せず）やフォーカスサーボ機構（図示せず）などのサーボ機構（図示せず）を駆動させるためのサーボ制御信号を生成する光学ヘッドサーボ回路３として構成されている。前記サーボ制御信号に基づいて、前記サーボ機構の駆動が制御される。光学式ピックアップ装置１のＯＢＬ５０を保持するレンズホルダ６０（図２）のフォーカス制御、トラッキング制御などといったサーボ制御は、光学式ピックアップサーボ回路３（図１）から発せられるサーボ制御信号によって行われる。また、光学式ピックアップサーボ回路３は、システム制御用マイクロコンピュータ９から発せられる信号に基づいて制御される。光学式ピックアップサーボ回路３は、システム制御用マイクロコンピュータ９と接続されている。
【００８６】
エンコーダ／デコーダ部４を構成するデコーダ５は、光ディスク２００が再生されるときに、光ディスク２００のデータフォーマットに対応したデコード処理を行う。デコード（decode）とは、一定の規則に基づいて符号化されたデータを復号させ、もとのデータを取り出させることを意味する。例えばＣＤメディアのデータフォーマットの場合、変調コードとしてＥＦＭ（８／１４変調）が採用され、誤り訂正符号としてＣＩＲＣが採用されている。デコーダ５は、フロントエンド処理部２にて生成されたＲＦ信号に基づいて、前述の変調コードおよび誤り訂正符号に基づいたデコード処理を行う。
【００８７】
「ＥＦＭ」とは、８ビットのデータを記録に適した１４ビットのデータ列に置き換えて記録する変調方式を意味する。「ＥＦＭ」は、「eight to fourteen modulation」の略称である。また、「ＣＩＲＣ」は、エラー訂正機構を意味する。「ＣＩＲＣ」は、「Cross Interleaved Reed-Solomon Code 」の略称である。
【００８８】
また、エンコーダ／デコーダ部４を構成するエンコーダ６は、パーソナルコンピュータなどの情報処理装置（図示せず）からインタフェース部７を介して入力される記録データに関して、光ディスク２００のデータフォーマットに対応したエンコード処理を行う。エンコード（encode）とは、一定の規則に基づいてデータを符号化させることを意味する。例えばＣＤメディアのデータフォーマットの場合、ＣＩＲＣ符号化処理や、ＥＦＭ変調処理およびスクランブル処理などがエンコード処理に該当され、これらの処理が施された後の記録用変調信号がレーザ出力制御回路１１に送信される。パーソナルコンピュータ（Personal Computer ）は、「ＰＣ」と略称とされている。また、パーソナルコンピュータは、パソコン等と略称されて用いられている。
【００８９】
インタフェース部７は、光ディスク装置１００内のエンコーダ／デコーダ部４に接続され、光ディスク装置１００と、ＰＣなどの情報処理装置（図示せず）との間における記録／再生データの送受信を制御する。
【００９０】
エンコーダ／デコーダ部４を構成するデコーダ５およびエンコーダ６と接続された記憶手段８として、例えばＲＡＭ８が用いられた。記憶部８とされるＲＡＭ８は、前記情報処理装置（図示せず）からインタフェース部７を介して再生要求コマンドが受信された場合、デコーダ５においてデコード処理中にあるデータを一時記憶する。一時記憶されたデータは、インタフェース部７を介して情報処理装置（図示せず）に送信される。また、ＲＡＭ８は、情報処理装置（図示せず）からインタフェース部７を介して受信された記録データを一時記憶する。一時記憶された記録データは、エンコーダ６におけるエンコード処理時にアクセスされる。また、ＲＡＭ８は、システム制御用マイクロコンピュータ９と接続されている。
【００９１】
システム制御用マイクロコンピュータ９は、光ディスク２００の記録再生に係る光ディスク装置１００全般のシステム制御を司るものとされている。例えばシステム制御用マイクロコンピュータ９は、光ディスク２００に対して記録再生を行う場合に、光ディスク２００に応じた変調／復調処理を施すために、エンコーダ６／デコーダ５の起動を制御する。マイクロコンピュータ（micro computer）とは、超小型コンピュータを意味する。マイクロコンピュータは、マイコン等と略称されて用いられている。
【００９２】
また、システム制御用マイクロコンピュータ９は、ＯＰＣ処理部２６の機能を、ファームウェア（プログラム）又はハードウェアによって行わせるものとされている。ファームウェアとは、ハードウェアの基本的な制御が行われるために機器に組み込まれたソフトウェアを意味する。ハードウェアとは、コンピュータを構成する電子回路や周辺機器などの物理的実体のあるものを意味する。ソフトウェアとは、コンピュータが動作されるための手順・命令をコンピュータが理解できる形式で記述され、まとめられたものを意味する。
【００９３】
ＯＰＣ処理部２６は、実際の記録に先立って、光ディスク２００から読み出された識別情報に基づいて、ＲＯＭ１０に記憶されている過去のＯＰＣで設定された最適記録パワー値の中で、識別情報に対応づけされた最適記録パワー値の検索を実行する。光ディスクの識別情報として、例えば光ディスクの製造メーカや記録速度などといったものが挙げられる。また、例えば所望の最適記録パワー値が検索されたときに、検索された最適記録パワー値が初期値に設定されて、一回目のテスト記録が光ディスク２００のＰＣＡに対して実
行されるものも使用可能とされる。また、例えば所望の最適記録パワー値が検索されなかったときに、予め用意されておいた初期値が記録パワー値として設定されるものも使用可能とされる。
【００９４】
追記型光ディスクなどの記録可能な光ディスクに情報の記録などが行われるときには、実際の情報の記録に先立って、システム制御用マイクロコンピュータ９の制御のもとに、評価値いわゆるアシンメトリ値βに基づいたＯＰＣが実施される。アシンメトリとは、非対称を意味する。「ＯＰＣ」とは、上述した如く、光ディスク２００などのメディアへデータ／情報が書き込まれるときに、メディア内周部２０５に試し書きを行い、最適なパワーのレーザ出力を行わせることを意味する。「ＯＰＣ」は、「Optimum Power Control 」の略称である。
【００９５】
ＯＰＣについて詳しく説明すると、ＯＰＣとは、光ディスク２００のＰＣＡ部２０５に所定のテストデータの記録を行った後に、ＰＣＡ部２０５より再生されたテストデータに基づいて得られる評価値いわゆるアシンメトリ値βが、光ディスク２００に応じた基準値いわゆるターゲットβを含む所定範囲内（例：β±１％など）のものとされているか否かを判定して、最適なパワーのレーザ出力を行わせることを意味する。また、試し書きが行われるメディア内周部２０５は、記録レーザパワーの校正が行われるときに必要とされる領域である。試し書きが行われるメディア内周部は、「ＰＣＡ」と省略される。「ＰＣＡ」は、「Power Calibration Area」の略称である。
【００９６】
システム制御用マイクロコンピュータ９に接続された別の記憶手段１０として、例えばＲＯＭ１０が用いられた。別の記憶部１０とされるＲＯＭ１０には、光ディスク２００の識別情報に対応付けされるターゲットβおよびＯＰＣの履歴情報として過去に設定された最適記録パワー値が記憶されている。ＯＰＣの履歴情報ではなく、ＯＰＣの初期値として推奨される記録パワー値が、ＲＯＭ１０に予め記憶されたものも使用可能とされる。
【００９７】
ＲＯＭとして、例えばＥＥＰＲＯＭが用いられた。ＥＥＰＲＯＭとは、電気的に内容を書き換えることが可能なＲＯＭを意味する。ＥＥＰＲＯＭとして、例えば不揮発性メモリが挙げられる。ＥＥＰＲＯＭの変更が行われるときには、通常の電圧よりも高い電圧がかけられた状態で行われる。また、ＥＥＰＲＯＭは、記憶された情報を電気的に消去可能なものとされている。「ＥＥＰＲＯＭ」は、「Electronically Erasable and Programmable
Read Only Memory」の略称である。
【００９８】
また、例えばＥＰＲＯＭが、記憶手段（８）もしくは別の記憶手段（１０）の何れか一方または両方に用いられたものも使用可能とされる。ＥＰＲＯＭとは、記憶の消去・書込みを何度でも行うことが可能とされるＲＯＭを意味する。ＥＰＲＯＭは、記憶が消去されるときに、読出し時と異なる特殊な方法が行われるものとされている。この点で、ＥＰＲＯＭは、ＲＡＭと異なるものとされる。「ＥＰＲＯＭ」は、「Erasable Programmable Read Only Memory」の略称である。また、上記ＲＡＭや、上記ＥＥＰＲＯＭや、上記ＥＰＲＯＭに代えて、記憶手段８もしくは別の記憶手段１０の何れか一方または両方に、例えば、その他の記憶部品（図示せず）が用いられたものも使用可能とされる。
【００９９】
レーザ出力制御回路１１は、エンコーダ６から受信された記録用変調信号に基づいて、ＬＤ２０を駆動するためのパルス信号を生成してＬＤＤ１２に送信するものとされている。また、レーザ出力制御回路１１は、システム制御用マイクロコンピュータ９から発せられる信号に基づいて制御される。
【０１００】
また、レーザ出力制御回路１１は、ＡＰＣ回路４１を備えるものとされている。ＡＰＣ回路とは、光出力一定回路を意味する。また、「ＡＰＣ」は、「Auto Power Control」の
略称である。例えばＬＤ２０から出射されるレーザ光の記録パワー値もしくは再生パワー値を検出するためのＦＭＤ４０が、光学式ピックアップ装置１に装備されたものにおいては、ＡＰＣ回路４１は、ＦＭＤ４０にてモニタされたレーザ光の記録パワー値もしくは再生パワー値に基づいて、ＬＤ２０から出射されるレーザ光の記録パワー値もしくは再生パワー値を一定のものとさせる働きをする。
【０１０１】
ＬＤＤ１２は、レーザ出力制御回路１１から発せられたパルス信号に基づいて、ＬＤ２０を駆動させる。これにより、ＬＤ２０からレーザ光が出射されて、エンコーダ６から出力される記録用変調信号に応じた記録マークが、光ディスク２００の記録部２０１の記録トラックに形成される。また、ＬＤＤ１２は、レーザ出力制御回路１１を構成するＡＰＣ回路４１の制御下で、ＬＤ２０を駆動させる。
【０１０２】
スピンドルモータ１３は、光ディスク２００を回転駆動するモータとされている。また、モータ駆動回路１４は、スピンドルモータ１３を回転駆動するための回路とされている。また、モータ制御回路１５は、例えば不図示のＷＢＬ検出部から受信されたＷＢＬ信号に基づくウォブリング周波数の情報を用いて、例えばＣＤ規格によるＣＬＶ方式（線速度一定方式）にてスピンドルモータ１３の回転駆動制御を行うための回路とされている。また、「ＷＢＬ」は、「Wobble」の略称である。ウォブル（Wobble）とは、情報の信号が記録されるトラックの蛇行を意味する。また、例えばスピンドルモータ１３の回転に応じて発生するパルス信号が用いられて、ＣＡＶ方式（角速度一定方式）にてスピンドルモータ１３の回転駆動制御が行われるものも使用可能とされる。モータ制御回路１５は、フロントエンド処理部２と接続されている。
【０１０３】
光ディスク装置１００を構成するディスク装置本体１０１（図２）は、鋼板製の筐体１０５を少なくとも備えるものとして構成されている。また、データなどの情報が備えられる光ディスク２００は、ターンテーブル１２０に着脱自在に取り付けられる。ターンテーブル１２０に対して光ディスク２００が着脱されるときに、容易に光ディスク２００の取付け取外しが行われることが可能とされるために、ターンテーブル１２０にチャッキング部材１２５が設けられている。チャッキング部材１２５が用いられてターンテーブル１２０に光ディスク２００が装着される。これにより、光ディスク２００に対応したトレー１５０のディスク収容部１５１ｄに、光ディスク２００が装備される。光ディスク２００は、ターンテーブル１２０と一体に構成されたスピンドルモータ１３（図１）により回動する。
【０１０４】
スピンドルモータ１３は、このスピンドルモータ１３の制御を行う回路基板（図示せず）に一体のものとされている。不図示の回路基板に、モータ駆動回路１４と、モータ駆動回路１４に続くモータ制御回路１５とが構成されている。光ディスク２００が装着されるターンテーブル１２０と、ターンテーブル１２０と一体に構成されたスピンドルモータ１３と、スピンドルモータ１３に通電可能に接続されたモータ駆動回路１４と、モータ駆動回路１４に通電可能に接続されたモータ制御回路１５とは、一体化された一部品として構成されている。このように、スピンドルモータ１３などを備えるスピンドルモータ構成体は、いわゆるアセンブリーされたものとして構成されている。また、不図示の回路基板は、スピンドルモータ１３などの制御を行う集積回路や、集積回路などに通電可能に接続されるコネクタ（図示せず）などを備えるものとして構成されている。不図示の回路基板は、光ディスク装置１００の熱源とされる。
【０１０５】
また、ディスク装置本体１０１（図２）の後側に、他の回路基板（図示せず）が装備されている。不図示の他の回路基板は、各種制御を行う集積回路や、集積回路などに通電可能に接続されるコネクタ（図示せず）などを備えるものとして構成されている。また、不図示の他の回路基板も光ディスク装置１００の熱源とされている。
【０１０６】
ピックアップ本体１ａからフレキシブル回路体９０が延設されている。このフレキシブル回路体９０は、ピックアップ本体１ａの移動方向Ｑに沿って、ピックアップ本体１ａから引き出されている。ピックアップ本体１ａから延設されたフレキシブル回路体９０は、可撓性に優れたフレキシブルプリント回路体として形成されている。以下、フレキシブルプリント回路体を「ＦＰＣ」と略称して示す。上述した如く、「ＦＰＣ」は、「Flexible
Printed Circuit」の略称である。
【０１０７】
ピックアップ本体１ａから延設されたＦＰＣ９０は、途中で緩やかに曲げられて折り返され、ディスク装置本体１０１の筐体１０５の後側に装着された他の回路基板と通電可能に接続されている。ＦＰＣ９０が途中で緩やかに曲げられて折り返されることで、ＦＰＣ９０に緩やかな曲部９５が形成されている。ＦＰＣ９０は、ピックアップ本体１ａと、ディスク装置本体１０１の筐体１０５の後側に装着された他の回路基板とを結ぶ伝送路としての役割を果たすフレキシブル配線基板とされている。回路基板は、光ディスク装置内の各機器と接続され、回路基板にて各種信号の送受信が行われる。
【０１０８】
光ディスク２００が備えられたトレー１５０が、ディスク装置本体１０１の前側開口部１０２からディスク装置本体１０１の収容室１０３内に収納されたのちに、スピンドルモータ１３（図１）によって、ターンテーブル１２０が回動する。これにより、ターンテーブル１２０のチャッキング部材１２５に装着された光ディスク２００が回動する。
【０１０９】
トレー１５０（図２）は、ディスク装置本体１０１に対し出入り可能なものとされている。詳しく説明すると、トレー１５０は、ディスク装置本体１０１から外部に突出されたディスク着脱位置（図示せず）と、ディスク装置本体１０１の内部に収納されたディスク動作位置（図２）との間を変位可能なものとして形成されている。薄型のディスク装置本体１０１に対し、薄型のトレー１５０は、光ディスク装置１００の前後方向Ｓに沿ってスライドしながら開閉移動する。
【０１１０】
光ディスク装置１００は、図示されたもの以外に、他の構成要素（図示せず）も備えるが、図１および図２においては、それらの構成要素は、便宜上、省略した。
【０１１１】
図１に示す光ディスク装置１００は、光ディスク２００にレーザを照射させるピックアップ装置１が用いられて、光ディスク２００への情報の書込み若しくは書換えが行われるものとされている。
【０１１２】
光ディスク装置１００を用いて、例えば光ディスク２００に情報を記録させるときや、光ディスク２００の情報を再生させるときや、光ディスク２００の情報を消去させるときに、光ディスク装置１００内における好ましい使用動作温度は、約０〜７０℃とされる。光ディスク装置１００内におけるより好ましい使用動作温度は、約０〜５０℃とされる。
【０１１３】
光ディスク２００への情報の書込み若しくは書換えが可能とされた光ディスク装置１００を構成するものについて詳しく説明すると、この光ディスク装置１００は、上記ＯＰＣ処理部２６と、上記温度センサ２１と、上記第一記憶部３１と、上記温度比較判定部２４とを備えるものとして構成されている。
【０１１４】
前記ＯＰＣ処理部２６は、情報が記録される光ディスク２００の内周部２０５に、レーザによる試書きを行うことで適切なパワーのレーザ出力を行わせるものとされている。上述した如く、ＯＰＣ（Optimum Power Control ）とは、光ディスク２００へ情報が記録されるときに、光ディスク２００の内周部２０５に試書きが行われることで適切なパワーのレーザ出力を行わせることを意味する。
【０１１５】
また、前記温度センサ２１は、光ディスク２００への情報の書込み若しくは書換えが行われるときに、ピックアップ装置１のＬＤ２０の温度を測定するものとされている。
【０１１６】
第一記憶手段３１として、例えばＥＥＰＲＯＭを用いることができる。詳しく説明すると、システム制御用マイクロコンピュータ９に接続された第一記憶部３１として、ＥＥＰＲＯＭが用いられる。
【０１１７】
第一記憶部３１は、ディスク装置本体（図示せず）内に光ディスク２００が入れられてから第一回目のＯＰＣが行われて、第一回目の光ディスク２００への情報の書込み若しくは書換えが行われるときに、温度センサ２１によりピックアップ装置１のＬＤ２０の温度が測定されて、第一回目のＯＰＣが行われるときのピックアップ装置１のＬＤ２０の温度と、第一回目のＯＰＣによりレーザ出力値算出部２３で算出されたレーザ出力値とを共に記憶するものとされている。
【０１１８】
また、前記温度比較判定部２４は、第一回目のＯＰＣが行われて、第一回目の光ディスク２００への情報の書込み若しくは書換えが行われたときのピックアップ装置１の温度と、温度が上昇した現時点のピックアップ装置１の温度とを比較して判定するものとされている。
【０１１９】
温度比較判定部２４により判定された温度差が、例えば１５℃の温度差よりも大きいときであって、且つ、温度比較判定部２４により判定された温度差に基づくレーザ出力値の補正が、レーザ出力補正部２５において行われていないときに、第二回目のＯＰＣが行われて、第二回目の光ディスク２００への情報の書込み若しくは書換えが行われる。
【０１２０】
このようにすることで、例えば温度特性が均一とされず温度特性のバラツキが大きいピックアップ装置がディスク装置に装備されることがあっても、ピックアップ装置の温度特性に左右されることなく、適切な波長のレーザがピックアップ装置１のＬＤ２０から出射される。従って、光ディスク２００への情報の追記または書込み若しくは書換えなどが実行可能とされる光ディスク装置１００を、コンピュータ組立メーカ等に提供することができる。
【０１２１】
例えば定められた仕様のピックアップ装置が大量生産された場合、個々のピックアップ装置の温度特性にバラツキが生じることが心配される。しかしながら、前記光ディスク装置１００が構成されていれば、温度特性が均一とされていないピックアップ装置１を備える光ディスク装置１００とされていても、ピックアップ装置１のＬＤ２０から照射されるレーザ波長などのレーザ出力値は、ピックアップ装置１の温度変化に左右されることなく、最適もしくは最適に略近い波長となる。温度特性が一律とされないピックアップ装置１を備える光ディスク装置１００とされていても、ピックアップ装置１の温度に対応して適切な波長のレーザがピックアップ装置１のＬＤ２０から照射される。従って、光ディスク２００に対する情報の書込み若しくは書換えが良好に行われる光ディスク装置１００の提供が可能となる。
【０１２２】
また、このような光ディスク装置１００は、パワーマージンの狭い光ディスク装置１００にも対応可能とされる。パワーマージンについて説明すると、光ディスク２００への情報の書込み若しくは書換えが行われるときのレーザ出力は、常に一定ではない。パワーマージンとは、レーザの出力量の変化に対し、どのくらいの余裕をもって対応できるものかといったことが判断できるものとされている。パワーマージンが広いものほど、情報が記録された光ディスク２００の互換性が高いものとされる。パワーマージンが広いものほど、読取りエラーが低減化されたものである。
【０１２３】
図３は、温度とレーザパワー変動値との関係を示す図、図４は、温度とレーザパワー変動値との関係を示すグラフである。
【０１２４】
図３において、便宜上、「１ｓｔＯＰＣ」は、最初のＯＰＣもしくは前回のＯＰＣを意味する。また、図３において、便宜上、「２ｎｄＯＰＣ」は、次回のＯＰＣを意味する。図３に示すものは、各温度範囲におけるレーザパワー変動値を求めるための参考のものである。また、図４は、温度とレーザパワー変動値との関係を示す温度補正グラフである。
【０１２５】
例えば、ピックアップ装置１を構成するＬＤ２０の温度が５℃のときに最初のＯＰＣが行われ、ＬＤ２０の温度が２０℃のときに次のＯＰＣが行われたときのレーザパワーの変動値は３％とされる。また、ＬＤ２０の温度が２０℃のときに最初のＯＰＣが行われ、ＬＤ２０の温度が３５℃のときに次のＯＰＣが行われたときのレーザパワーの変動値は４％とされる。また、ＬＤ２０の温度が３５℃のときに最初のＯＰＣが行われ、ＬＤ２０の温度が５０℃のときに次のＯＰＣが行われたときのレーザパワーの変動値は７％とされる。また、ＬＤ２０の温度が５０℃のときに最初のＯＰＣが行われ、ＬＤ２０の温度が６５℃のときに次のＯＰＣが行われたときのレーザパワーの変動値は１２％とされる。これらの各データは、例えば上記ＲＯＭ１０に予め記憶させておき、必要に応じてシステム制御用マイクロコンピュータ９に送信されて用いられる。
【０１２６】
例えば温度センサ２１およびＲＯＭ１０に接続されたシステム制御用マイクロコンピュータ９において、ピックアップ装置１が作動するときの温度は、低温から高温まで複数の温度区間に分けられて、前記各データが用いられる（図３，図４）。図３および図４の如く、各温度区間は、１５〜２０℃の間隔で区切られている。ディスク装置１００の仕様により、例えば温度区間が約５℃の間隔で区切られたもの（図示せず）や、温度区間が約１０℃の間隔で区切られたもの（図示せず）等も使用可能とされる。
【０１２７】
例えば、第一回目の光ディスク２００（図１，図２）への情報の書込み若しくは書換えが行われるときに、第一回目のＯＰＣが行われたときのピックアップ装置１を構成するＬＤ２０（図１）の温度は、５℃とされた。その場合、第一回目のＯＰＣが行われたときのピックアップ装置１を構成するＬＤ２０の温度は、５〜２０℃の温度区間内に収められている。
【０１２８】
その後、光ディスク装置１００内に装備されたＬＤ２０などの各機器から発せられる熱により、光ディスク装置１００内が暖められて、例えばピックアップ装置１を構成する現在のＬＤ２０の温度が１９℃となった。その場合のピックアップ装置１のＬＤ２０の温度も、５〜２０℃の温度区間内に収められている。
【０１２９】
ピックアップ装置１を構成するＬＤ２０の温度が１９℃のときに、光ディスク２００への情報の書込み若しくは書換えが行われる場合、第二回目のＯＰＣが行われることなく、第二回目の光ディスク２００への情報の書込み若しくは書換えが行われる。
【０１３０】
これにより、光ディスク２００のＰＣＡ部２０５（図１，図２）が無駄に使われることは防止される。温度センサ２１（図１）に続くシステム制御用マイクロコンピュータ９において、ピックアップ装置１の作動温度を０〜７０℃（図３，図４）といった低温から高温までの複数の温度区間に分け、各温度区間内におけるレーザ出力値の変動値を例えばリニアな傾斜とされる温度特性のもの（図４）として予め定めておけば、現在のピックアップ装置１の温度が一温度区間（例：５〜２０℃）内で変動したときに、第二回目のＯＰＣが行われることなく、第二回目の光ディスク２００への情報の書込み若しくは書換えが行われる。
【０１３１】
従って、情報が記録されるために、光ディスク２００（図１）の内周部２０５にレーザによる試書きが行われるため、ＰＣＡ部２０５が無駄に使用されるといったことは回避される。上述した如く、ＰＣＡ（Power Calibration Area）は、光ディスクに対する記録レーザパワーの校正が行われるときに必要とされる領域とされている。
【０１３２】
図１の如く、前記光ディスク装置１００は、上記第二記憶部３２を備えるものとされている。前記光ディスク装置１００は、複数の記憶部分を備えるものとされている。前記第二記憶部３２は、温度センサ２１によりピックアップ装置１のＬＤ２０の温度が測定されて、第二回目のＯＰＣが行われるときのピックアップ装置１のＬＤ２０の温度と、第二回目のＯＰＣによりレーザ出力値算出部２３で算出されたレーザ出力値とを共に記憶するものとされている。第二回目のＯＰＣが行われたときに、そのときのピックアップ装置１を構成するＬＤ２０の温度と、そのときのレーザ出力値は、第二記憶部３２に記憶される。
【０１３３】
第二記憶手段３２として、例えばＥＥＰＲＯＭを用いることができる。詳しく説明すると、システム制御用マイクロコンピュータ９に接続された第二記憶部３２として、上記第一記憶部３１と同じくＥＥＰＲＯＭが用いられる。ＥＥＰＲＯＭが用いられて第二記憶部３２が構成されていれば、第二回目のＯＰＣが行われたときのピックアップ装置１を構成するＬＤ２０の温度と、第二回目のＯＰＣが行われたときのレーザ出力値とは、確実に第二記憶部３２に記憶される。
【０１３４】
なお、上記ＥＥＰＲＯＭに代えて、例えばＥＰＲＯＭが、第一記憶部もしくは第二記憶部の何れか一方または両方に用いられたものも使用可能とされる。また、上記ＥＥＰＲＯＭや、上記ＥＰＲＯＭに代えて、第一記憶部３１もしくは第二記憶部３２の何れか一方または両方に、例えば、その他の記憶部品（図示せず）が用いられたものも使用可能とされる。
【０１３５】
第一回目のＯＰＣが行われたときのピックアップ装置１を構成するＬＤ２０の温度と、ピックアップ装置１を構成する現時点のＬＤ２０の温度との温度差が、例えば１５℃の温度差よりも大きいときであって、且つ、温度比較判定部２４により判定された温度差に基づくレーザ出力値の補正が、レーザ出力補正部２５において行われていないときに、第二回目のＯＰＣが行われる。第二回目のＯＰＣが行われるときに、温度センサ２１が用いられて現時点のピックアップ装置１の温度が測定される。
【０１３６】
例えば、第一回目のＯＰＣが行われたときのピックアップ装置１を構成するＬＤ２０の温度は、５℃（図４）とされた。その後、光ディスク装置１００内のＬＤ２０などの各機器が発する熱などにより、光ディスク装置１００内の温度が上昇して、ＬＤ２０の温度は、３５℃（図４）となった。この場合、第一回目のＯＰＣが行われたときのピックアップ装置１を構成するＬＤ２０の温度と、ピックアップ装置１を構成する現時点のＬＤ２０の温度との温度差は、３０℃である。５℃のときのＬＤ２０から発せられるレーザ波長と、３５℃のときのＬＤ２０から発せられるレーザ波長とを比較した場合、レーザパワーは異なるものとなる。
【０１３７】
ピックアップ装置１を構成するＬＤ２０の温度が３５℃のときに、光ディスク２００への情報の書込み若しくは書換えが行われる場合、ピックアップ装置１のＬＤ２０から照射されるレーザの波長は、第一回目のＯＰＣが行われたとき（５℃）のピックアップ装置１を構成するＬＤ２０から照射されるレーザの波長とやや異なるものとなり、ＬＤ２０から照射されるレーザパワーを補正させる必要性が生じる。従って、第二回目のＯＰＣを行う必要性が生じる。なお、第二回目のＯＰＣが行われるときは、温度比較判定部２４により判定された温度差に基づくレーザ出力値の補正が、レーザ出力補正部２５において行われ
ていないときとされる。第二回目のＯＰＣが行われたのちに、第三回目の光ディスク２００への情報の書込み若しくは書換えが行われる。
【０１３８】
第二回目のＯＰＣが行われたときのピックアップ装置１を構成するＬＤ２０の温度と、現時点のピックアップ装置１を構成するＬＤ２０の温度との温度差が、例えば１５℃の温度差よりも大きいときに、第三回目のＯＰＣが行われることなく、第四回目の光ディスク２００への情報の書込み若しくは書換えが行われる。
【０１３９】
このとき、第一記憶部３１に記憶された第一回目のＯＰＣ実行時の温度およびレーザ出力値と、第二記憶部３２に記憶された第二回目のＯＰＣ実行時の温度およびレーザ出力値とに基づいて、現時点のピックアップ装置１のレーザ出力値が、レーザ出力補正部２５において補正されて、第四回目の光ディスク２００への情報の書込み若しくは書換えが行われる。
【０１４０】
これについて具体的に説明すると、第二回目のＯＰＣが行われたときのピックアップ装置１を構成するＬＤ２０の温度は、３５℃とされた。その後、光ディスク装置１００内のＬＤＤ１２やＬＤ２０などの各機器が発する熱や、ＰＣ（図示せず）が置かれている部屋の温度が上昇したことによる熱などにより、光ディスク装置１００内の温度がさらに上昇して、ＬＤ２０の温度が６５℃にまで上昇した。
【０１４１】
この場合、第二回目のＯＰＣが行われたときのピックアップ装置１を構成するＬＤ２０の温度と、ピックアップ装置１を構成する現時点のＬＤ２０の温度との温度差は、３０℃である。３５℃のときのＬＤ２０から発せられるレーザ波長と、６５℃のときのＬＤ２０から発せられるレーザ波長とを比較した場合、レーザパワーは異なるものとなる。
【０１４２】
ピックアップ装置１を構成するＬＤ２０の温度が６５℃のときに、光ディスク２００への情報の書込み若しくは書換えが行われる場合、ピックアップ装置１のＬＤ２０から照射されるレーザの波長は、第二回目のＯＰＣが行われたとき（３５℃）のピックアップ装置１を構成するＬＤ２０から照射されるレーザの波長とやや異なるものとなり、ＬＤ２０から照射されるレーザパワーを補正させる必要性が生じる。
【０１４３】
この場合、先に第一記憶部３１に記憶された第一回目のＯＰＣ実行時の温度（５℃）およびレーザ出力値と、先に第二記憶部３２に記憶された第二回目のＯＰＣ実行時の温度（３５℃）およびレーザ出力値とに基づいて、現時点のピックアップ装置１のレーザ出力値が、レーザ出力補正部２５において補正されて、第四回目の光ディスク２００への情報の書込み若しくは書換えが行われる。
【０１４４】
このような光ディスク装置１００が構成されていれば、光ディスク２００のＰＣＡ部２０５（図１，図２）が無駄に使われることは防止される。第二回目のＯＰＣが行われたのちに、第二回目のＯＰＣが行われたときのピックアップ装置１を構成するＬＤ２０の温度と、現時点のピックアップ装置１を構成するＬＤ２０の温度との温度差が、例えば１５℃の温度差よりも大きいときでも、さらに第三回目のＯＰＣを行ってピックアップ装置１のＬＤ２０から照射されるレーザ波長などのレーザ出力値を補正させるといった必要性は無くされる。従って、情報が記録されるために、光ディスク２００の内周部２０５にレーザによる試書きが行われるため、ＰＣＡ部２０５が無駄に使用されるといったことは回避される。また、これにより、ピックアップ装置１のＬＤ２０から照射されるレーザパワーの温度特性に対応して、適切なレーザ出力値の補正が行われる。
【０１４５】
次に、図１〜図５を用いて光ディスク装置１００の記録制御方法について詳しく説明する。
【０１４６】
図５は、本発明に係るディスク装置の制御方法を示すフローチャートである。
【０１４７】
光ディスク装置のピックアップ装置が用いられて、ディスクの情報の書込み動作を行ったり、書換え動作を行ったり、読込み動作を行ったり、消去動作を行ったりする状態を、便宜上、記録処理を行う状態とする。
【０１４８】
この光ディスク装置１００の制御方法は、光ディスク２００にレーザを照射させるピックアップ装置１を用いて、光ディスク２００への情報の書込み若しくは書換えを行うものとされる。情報が記録される光ディスク２００の内周部２０５に、レーザによる試書きを行うことで適切なパワーのレーザ出力を行わせるＯＰＣを行う。
【０１４９】
不図示のディスク装置本体内に光ディスク２００を入れて、第一回目の光ディスク２００への情報の書込み若しくは書換えを行うのに先立って、第一回目のＯＰＣが行われたものか、又は、第一回目のＯＰＣは行われていないものかの判定を行う（Ｓ５０１）。
【０１５０】
第一回目のＯＰＣが行われていないとき（Ｓ５０１：ＮＯ）には、ピックアップ装置１を構成するＬＤ２０の温度を測定して、第一回目のＯＰＣを行う（Ｓ５０２）。そのときに、ピックアップ装置１を構成するＬＤ２０の近傍に設けられた温度センサ２１を用いて、ピックアップ装置１のＬＤ２０の温度を測定する。
【０１５１】
ピックアップ装置１を構成するＬＤ２０の温度を測定して、第一回目のＯＰＣを行うときのピックアップ装置１の温度を第一記憶部３１に記憶させる。また、これと共に、第一回目のＯＰＣにより算出されたレーザ出力値を第一記憶部３１に記憶させる。このようにすることで、ピックアップ装置１のＬＤ２０から照射される適正なレーザパワーが定められる（Ｓ５０２）。ピックアップ装置１を構成するＬＤ２０の温度測定は、引き続いて行われ、現在のＬＤ２０の温度が測定される（Ｓ５０３）。
【０１５２】
第一回目のＯＰＣを行って第一回目の光ディスク２００への情報の書込み若しくは書換えを行ったときのピックアップ装置１の温度と、それから暫く時間が経過されて光ディスク装置１００内が暖められた現時点のピックアップ装置１の温度とを、温度比較判定部２４により比較・判定する。そして、その温度差を求める。
【０１５３】
温度比較判定部２４により求められた温度差が、例えば１５℃の温度差よりも大きいとき（Ｓ５０４：ＹＥＳ）であって、且つ、温度比較判定部２４により判定された温度差に基づくレーザ出力値の補正が、レーザ出力補正部２５において行われず、第一回目のＯＰＣの温度補正値が求められていないとき（Ｓ５０５：ＮＯ）に、第二回目のＯＰＣを実施して、適正なレーザパワー値を求める（Ｓ５０６）。そして、その結果を第二記憶部３２に記憶させる。
【０１５４】
この場合、第一回目のＯＰＣ時の温度は、第一記憶部３１に記憶されており、第二記憶部３２に、レーザパワー変動値と、第二回目のＯＰＣ時の温度とが記憶される。なお、第二記憶部３２に、レーザパワー変動値と、第一回目のＯＰＣ時の温度と、第二回目のＯＰＣ時の温度とが記憶されるものも使用可能とされる。その後、第二回目の光ディスク２００への情報の書込み若しくは書換えを行う。このようにして記録処理を行う。
【０１５５】
Ｓ５０６におけるレーザパワー変動値は、次式（１）に基づいて定められる。
【０１５６】
【数１】
2005276411.tif 000003
【０１５７】
また、例えば温度センサ２１およびＲＯＭ１０に接続されたシステム制御用マイクロコンピュータ９において、ピックアップ装置１が作動するときの温度を低温から高温まで複数の温度区間に分けた上記各データ（図３，図４）が用いられる。例えば、図３および図４の如く、低温から高温までの温度区間を約１５℃の温度区間に分割させ、一つの温度区間を約１５℃の温度差の区間とさせる。
【０１５８】
第一回目の光ディスク２００への情報の書込み若しくは書換えを行うときに、第一回目のＯＰＣを行うときのピックアップ装置１の温度が、各温度区間のうちの一温度区間内に収められ、且つ、現在のピックアップ装置１の温度が一温度区間内に収められるときであって、光ディスク２００への情報の書込み若しくは書換えを行うときに、第二回目のＯＰＣを行うことなく、第二回目の光ディスク２００への情報の書込み若しくは書換えを行う。
【０１５９】
これについて具体的に説明すると、第一回目の光ディスク２００への情報の書込み若しくは書換えを行うときに、第一回目のＯＰＣを行ったときのピックアップ装置１を構成するＬＤ２０の温度は、５℃とする。その場合、第一回目のＯＰＣが行われたときのピックアップ装置１を構成するＬＤ２０の温度は、５〜２０℃の温度区間内に収められている。
【０１６０】
その後、光ディスク装置１００内に装備されたＬＤ２０などの各機器から発せられる熱により、光ディスク装置１００内が暖められて、例えばピックアップ装置１を構成する現在のＬＤ２０の温度が１９℃となったものとする。その場合のピックアップ装置１のＬＤ２０の温度も、５〜２０℃の温度区間内に収められている。
【０１６１】
第一回目のＯＰＣを行ったときのピックアップ装置１を構成するＬＤ２０の温度（５℃）と、温度が上昇した現在のＬＤ２０の温度（１９℃）との温度差は、１４℃である。この場合、１４℃という温度差は、予め定められた所定の温度差とされる１５℃よりも小さい温度とされる（Ｓ５０４：ＮＯ）ので、第二回目のＯＰＣは行われない。
【０１６２】
第一回目のＯＰＣを行ったときのピックアップ装置１を構成するＬＤ２０の温度が５℃とされ、その後、暫く時間が経過された現在のＬＤ２０の温度が１９℃のときに、光ディスク２００への情報の書込み若しくは書換えを行う場合、第二回目のＯＰＣを行うことなく、第二回目の光ディスク２００への情報の書込み若しくは書換えを行う。そのときのピックアップ装置１のＬＤ２０から照射されるレーザ出力値いわゆるレーザパワーは、予め図３もしくは図４に例記されたパワー変動値に基づいて算出される。従って、そのときに、第二回目のＯＰＣを行う必要性は無い。
【０１６３】
その後、光ディスク装置１００内の温度が上昇し、ピックアップ装置１を構成するＬＤ２０の温度が例えば３５℃まで上昇したものとする。そのときに、光ディスク２００への情報の書込み若しくは書換えを行う場合、第二回目のＯＰＣを行う。第一回目のＯＰＣを行ったときのピックアップ装置１を構成するＬＤ２０の温度が５℃とされ、現時点のピックアップ装置１を構成するＬＤ２０の温度が３５℃とされた場合、その温度差は３０℃である。
【０１６４】
この場合、前回のＯＰＣを行ったときの温度と、今回のＯＰＣを行う温度との温度差が
、予め定めておいた所定の温度差とされる１５℃を超える温度差（３０℃）とされている（Ｓ５０４：ＹＥＳ）ので、ＬＤ２０から照射されるレーザパワーの補正を行うために、第二回目のＯＰＣを行う必要性が生じる。第二回目のＯＰＣを行ったときのピックアップ装置１の温度および第二回目のＯＰＣにより算出されたレーザ出力値を、第二記憶部３２に記憶させる。第二回目のＯＰＣを行ったのちに、第三回目の光ディスク２００への情報の書込み若しくは書換えを行う。このようにして記録処理を行う。
【０１６５】
第二回目のＯＰＣを行ったときのピックアップ装置１の温度と、現時点のピックアップ装置１の温度との温度差が、例えば１５℃の温度差よりも大きいとき（Ｓ５０４：ＹＥＳ）であって、且つ、温度比較判定部２４により判定された温度差に基づくレーザ出力値の補正が、レーザ出力補正部２５において行われ、第二回目のＯＰＣの温度補正値が既に求められているとき（Ｓ５０５：ＹＥＳ）に、次回のＯＰＣすなわち第三回目のＯＰＣを行うことなく、第一回目のＯＰＣを行ったときのピックアップ装置１の温度およびレーザ出力値と、第二回目のＯＰＣを行ったときのピックアップ装置１の温度およびレーザ出力値とに基づいて、現時点のピックアップ装置１のレーザ出力値を補正させて、第四回目の光ディスク２００への情報の書込み若しくは書換えを行う。
【０１６６】
これについて詳しく説明すると、この場合、まず、第一回目のＯＰＣは、既に行われて終了されている（Ｓ５０１：ＹＥＳ）。第二回目のＯＰＣを行ったときのピックアップ装置１を構成するＬＤ２０の温度は、３５℃とする。その後、光ディスク装置１００内のＬＤＤ１２やＬＤ２０などの各機器が発する熱や、ＰＣ（図示せず）が置かれている部屋の温度が上昇したことによる熱などにより、光ディスク装置１００内の温度がさらに上昇して、ＬＤ２０の温度が６５℃にまで上昇したものとする（Ｓ５０３）。この場合、第二回目のＯＰＣが行われたときのピックアップ装置１を構成するＬＤ２０の温度と、ピックアップ装置１を構成する現時点のＬＤ２０の温度との温度差は、３０℃となる（Ｓ５０４：ＹＥＳ）。
【０１６７】
また、温度比較判定部２４により判定された温度差に基づくレーザ出力値の補正は、レーザ出力補正部２５において既に行われ、第二回目のＯＰＣの温度補正値は、既に求められている（Ｓ５０５：ＹＥＳ）。
【０１６８】
ピックアップ装置１を構成するＬＤ２０の温度が６５℃のときに、光ディスク２００への情報の書込み若しくは書換えを行う場合、ピックアップ装置１のＬＤ２０から照射されるレーザの波長は、第二回目のＯＰＣを行ったとき（３５℃）のピックアップ装置１を構成するＬＤ２０から照射されるレーザの波長とやや異なるものとされることから、ＬＤ２０から照射されるレーザパワーを補正させる。
【０１６９】
この場合、先に第一記憶部３１に記憶させた第一回目のＯＰＣ実行時の温度（５℃）およびレーザ出力値と、先に第二記憶部３２に記憶させた第二回目のＯＰＣ実行時の温度（３５℃）およびレーザ出力値とに基づいて、レーザ出力補正部２５において現時点のピックアップ装置１のレーザ出力値を補正させて、第四回目の光ディスク２００への情報の書込み若しくは書換えを行う。
【０１７０】
即ち、第二回目のＯＰＣが行われたときのピックアップ装置１を構成するＬＤ２０の温度と、ピックアップ装置１を構成する現時点のＬＤ２０の温度との温度差が、１５℃を超える温度差とされたときに、次回のＯＰＣを行う代わりに、レーザパワー値の補正を行う（Ｓ５０７）。このようにして光ディスク２００に対する記録処理を行う。
【０１７１】
このようにすることで、例えば温度特性が均一とされていないピックアップ装置１を備える光ディスク装置１００とされていても、ピックアップ装置１のＬＤ２０から照射され
るレーザ波長などのレーザ出力値は、ピックアップ装置１の温度変化に左右されることがない。ピックアップ装置１の温度変化に影響されることなく、ピックアップ装置１のＬＤ２０から照射されるレーザ波長などのレーザ出力値を、最適もしくは最適に略近い波長とさせることができる。温度特性が一律とされないピックアップ装置１を備える光ディスク装置１００とされていても、ピックアップ装置１の温度に対応して適切な波長のレーザをピックアップ装置１のＬＤ２０から照射させることができる。これにより、光ディスク２００に対する情報の書込み若しくは書換えが良好に行われるものを、コンピュータ組立メーカ等に提供することができる。
【０１７２】
レーザパワー値の補正が行われるときに、補正パワー値は、次式（２）に基づいて定められる。
【０１７３】
【数２】
2005276411.tif 000004
【０１７４】
前回のＯＰＣが、第一回目のＯＰＣとされるときには、補正パワー値は、次式（３）に基づいて定められる。
【０１７５】
【数３】
2005276411.tif 000005
【０１７６】
また、光ディスク装置の仕様などにより、例えば前回のＯＰＣが、第二回目のＯＰＣとされるときには、補正パワー値は、次式（４）に基づいて定められたものも使用可能とされる。
【０１７７】
【数４】
2005276411.tif 000006
【０１７８】
上記ディスク装置１００（図１，図２）は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応したものとされる。
【０１７９】
上記光学式ピックアップ装置１を備える光ディスク装置１００は、例えば、ノート型ＰＣ（図示せず）や、デスクトップ型ＰＣ（図示せず）などのＰＣや、ＣＤプレーヤなどの音響機器や、ＤＶＤプレーヤなどの音響／映像機器（図示せず）などに装備可能なものとされる。また、上記光ディスク装置１００は、ＣＤ系光ディスクや、ＤＶＤ系光ディスク等の複数のメディアに対応可能なものとされる。
【０１８０】
光ディスク装置１００は、例えばＣＤまたはＤＶＤの何れか一方または両方の光ディス
クを使用可能なプレーヤ（図示せず）などとして構成される。ＣＤプレーヤや、ＤＶＤプレーヤや、ＣＤおよびＤＶＤの両方の光ディスクが使用可能なプレーヤは、例えば、ノート型ＰＣや、据え置き型ＰＣなどに組み込まれて使用される。デスクトップ型コンピュータは、卓上型コンピュータとされ、机の上で使用可能なコンピュータとされている。しかしながら、デスクトップ型コンピュータは、容易に持運びができないタイプのものとされている。
【０１８１】
デスクトップ型ＰＣに対し、ノート型ＰＣは、軽量化、軽薄化が要求されることから、スリム型ドライブとされる光ディスク装置１００を備えた構造のものとされている。ノート型ＰＣは、デスクトップ型ＰＣと異なる構造のものとされている。ノート型ＰＣは、不図示のディスプレイと、不図示のＰＣ本体とが、一体構造のものとされている。ＰＣ本体に対し、ディスプレイが折りたたまれることで、ノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣは、コンパクトなものとして容易に持運びができるものとされている。
【０１８２】
光学式ピックアップ装置１（図１，図２）は、ノート型コンピュータに内装可能な略扁平型のノート型ＰＣ用小型光学式ピックアップ装置１とされている。また、光ディスク装置１００（図２）は、ノート型ＰＣ用小型光学式ピックアップ装置１が装備可能な略扁平型のノート型ＰＣ用光ディスク装置１００として構成されている。光ディスク２００の記録部２０１にデータ／情報の記録が完了した後に、例えばノート型ＰＣ用光ディスク装置１００内で光ディスク２００を空回しさせることにより、ノート型ＰＣ用小型光学式ピックアップ装置１の冷却を行う。
【０１８３】
小型光学式ピックアップ装置１が内部収容空間の少ないノート型コンピュータに実装されても、ノート型ＰＣ用小型光学式ピックアップ装置１の熱もしくはノート型ＰＣ用小型光学式ピックアップ装置１周辺部の熱は、確実に奪い去られる。
【０１８４】
最近のノート型ＰＣは、高性能化されると共に、小型化、軽量化、軽薄化される傾向にある。ノート型ＰＣの小型化、軽量化、軽薄化に伴って、光学式ピックアップ装置１も、小型化、軽量化、軽薄化されつつある。また、ノート型ＰＣが高性能化されると、ノート型ＰＣから多くの熱が発生することとなる。デスクトップ型ＰＣに対し、ノート型ＰＣは小さいものとされ、また、ノート型ＰＣが高性能化されることにより、ノート型ＰＣの内部は、デスクトップ型ＰＣの内部よりも高温となり易い。従って、ノート型ＰＣ用光ディスク装置に装備された光学式ピックアップ装置１は、高温に曝され易くなり、熱の影響を受け易くなる。ノート型ＰＣに装備された光学式ピックアップ装置１は、例えば約−１０〜７０℃の温度条件下で使用される。
【０１８５】
しかしながら、光ディスク２００にデータ／情報の記録が完了したのちに、ノート型ＰＣ用小型光学式ピックアップ装置１もしくはノート型ＰＣ用小型光学式ピックアップ装置１周辺部の温度が高いときに（例：７０℃）、ノート型ＰＣ用小型光学式ピックアップ装置１のＬＤ２０からレーザが発せられることなく光ディスク２００を空回しさせるノート型ＰＣ用小型光学式ピックアップ装置１が装備されたノート型ＰＣ用光ディスク装置１００が用いられていれば、光ディスク２００が空回しされることで発生する対流により、ノート型ＰＣ用小型光学式ピックアップ装置１もしくはノート型ＰＣ用小型光学式ピックアップ装置１周辺部の温度は、低い温度に下げられる。
【０１８６】
光ディスク２００にデータ／情報の記録が完了したのちに、ノート型ＰＣ用小型光学式ピックアップ装置１もしくはノート型ＰＣ用小型光学式ピックアップ装置１周辺部の温度
が高いときに（例：７０℃）、ノート型ＰＣ用小型光学式ピックアップ装置１のＬＤ２０からレーザ光を発することなく光ディスク２００を空回しさせれば、光ディスク２００を空回しすることで発生する対流により、ノート型ＰＣ用小型光学式ピックアップ装置１もしくはノート型ＰＣ用小型光学式ピックアップ装置１周辺部の温度は、低い温度に下げられる。従って、ノート型ＰＣ用光ディスク装置１００内に熱がこもるということは、少しでも回避され易くなる。
【０１８７】
光ディスク装置１００内において、光ディスク２００の空回しを行って、光学式ピックアップ装置１を冷却させるときに、光学式ピックアップ装置１のピックアップ本体１ａを光ディスク２００の内周部２０６側から光ディスク２００の外周部２０７側に移動させ、光ディスク２００を空回しさせる。
【０１８８】
例えば光ディスク装置１００の内部を平面視したときに（図２）、トレー１５０のディスク収容部１５１ｄの周縁部１５１ｅに、光学式ピックアップ装置１のＯＢＬ５０が重ねられた状態となるまで、光学式ピックアップ装置１のピックアップ本体１ａを光ディスク２００の最外周部２０７ｍ側に移動させつつ、光ディスク２００を空回しさせる。
【０１８９】
例えば、回転する単層光ディスク２００の信号内周部２０６ｓ側から信号外周部２０７ｓ側に向けてピックアップ本体１ａを移動させつつ、単層光ディスク２００に情報／データ等の信号を記録させたのちに、ピックアップ本体１ａの通常待機位置とされる単層光ディスク２００の内周部２０６側にピックアップ本体１ａを移動させることなく、直接、ピックアップ本体１ａを単層光ディスク２００の最外周部２０７ｍ側に移動させる。このとき、単層光ディスク２００の回動を停止させることなく、引き続き、単層光ディスク２００を回動させたままの状態で、ピックアップ本体１ａを単層光ディスク２００の最外周部２０７ｍ側に移動させる。
【０１９０】
このような光ディスク装置１００の冷却制御方法が行われることにより、光学式ピックアップ装置１は、効率よく冷まされる。例えば光ディスク２００が一定の回転数で回されているときに、光ディスク２００の内周部２０６の回転速度と、光ディスク２００の最外周部２０７ｍの回転速度とを比較した場合、光ディスク２００の最外周部２０７ｍの回転速度のほうが、光ディスク２００の内周部２０６の回転速度よりもはやい。従って、光ディスク２００の内周部２０６よりも、光ディスク２００の最外周部２０７ｍ周辺のほうが、空気の対流が生じ易い。
【０１９１】
光ディスク２００に情報／データ等の信号を記録させたのちに、光ディスク２００の回動を停止させることなく、光学式ピックアップ装置１を光ディスク２００の内周部２０６側から光ディスク２００の最外周部２０７ｍ側に移動させて、光ディスク２００を空回しさせることにより、光学式ピックアップ装置１は、光ディスク２００の外周部２０７周辺で生じた空気の対流によって効率よく冷まされる。
【０１９２】
また、ノート型ＰＣ用光ディスク装置１００は、光ディスク２００が回転することで発生する空気の流れにより、光学式ピックアップ装置１と、光ディスク装置本体１０１に内蔵された電気回路を備える基板（図示せず）とを冷却する構造のものとされている。
【０１９３】
このような構造に光ディスク装置１００が構成されていれば、ファンなどの電力を消費する特別な冷却装置が必要とされることなく、放熱特性に優れたノート型ＰＣ用の光ディスク装置１００が、コンピュータ組立メーカ等に提供される。最近のノート型ＰＣは、高性能化されると共に、小型化、軽量化、軽薄化される傾向にある。ＰＣが高性能化されると、ＰＣに装備された制御基板（図示せず）の集積回路（図示せず）や、光学式ピックアップ装置１のＬＤＤ１２およびＬＤ２０などから多くの熱が発生する。このため、ＰＣに
は、何らかの冷却手段が必要となる。一方、最近のノート型ＰＣにおいては、小型化、軽量化、軽薄化されることが、ノート型ＰＣの設計者や使用者などから要求されている。ファンなどの特別な冷却装置などがノート型ＰＣに設けられるということは、ノート型ＰＣの大型化や重量増しにつながる。このようなものは、ノート型ＰＣの設計者や使用者の要求に反する。
【０１９４】
しかしながら、光ディスク装置１００内に備えられた光ディスク２００が回転することにより発生する空気の流れを利用して、光ディスク装置１００内の高温化を防ぐものとされていれば、ノート型ＰＣの大型化や重量増しは回避される。従って、大型化や重量増しされることなく、コンパクトで放熱特性に優れた光ディスク装置１００を備えるノート型ＰＣが構成される。また、ノート型ＰＣの消費電力が増加されるということも回避される。
【０１９５】
このように、本発明のディスク装置は、主にノート型コンピュータに好適なものとされる。光ディスク装置１００（図２）は、ノート型コンピュータ本体に対し、容易に光ディスク装置本体１０１が取り付けられたり取り外されたりすることが可能なものとされている。即ち、光ディスク装置１００は、ノート型コンピュータに対し、着脱自在に装備される。
【０１９６】
上述した如く、本発明のものは、例えば熱や騒音などに対して厳しい仕様が要求される薄型のノート型ＰＣに好適なものとされる。なお、ディスク装置１００等の設計仕様などにより、本発明のものは、ノート型ＰＣに限られることなく、例えばデスクトップ型ＰＣや、ＤＶＤプレーヤなどに装備される各種光ディスク装置に適用可能なものとされる。本発明のものは、図１〜図５に示すものに限定されるものではない。本発明のものは、その要旨を逸脱しない範囲において、種々変更可能なものとされる。
【０１９７】
例えば第一記憶部３１が、温度記憶用のＥＥＰＲＯＭと、レーザ出力値記憶用のＥＥＰＲＯＭとの複数のＥＥＰＲＯＭを備え、第二記憶部３２も、温度記憶用のＥＥＰＲＯＭと、レーザ出力値記憶用のＥＥＰＲＯＭとの複数のＥＥＰＲＯＭを備えるもの（図示せず）も使用可能とされる。また、例えば第一記憶部３１、第二記憶部３２以外のその他の記憶部（図示せず）が装備されたものも使用可能とされる。
【図面の簡単な説明】
【０１９８】
【図１】本発明に係るディスク装置およびその制御方法の一実施形態を示すブロック図である。
【図２】ディスク装置内を示す説明図である。
【図３】温度とレーザパワー変動値との関係を示す図である。
【図４】温度とレーザパワー変動値との関係を示すグラフである。
【図５】本発明に係るディスク装置の制御方法を示すフローチャートである。
【図６】従来のディスク装置に装備されたピックアップ装置を示す説明図である。
【符号の説明】
【０１９９】
１        光学ヘッド装置（ピックアップ装置）
１ａ      ピックアップ本体（ピックアップ主体部）
２        フロントエンド処理部
３        光学ヘッドサーボ回路（光学式ピックアップサーボ回路）
４        エンコーダ／デコーダ部
５        デコーダ
６        エンコーダ
７        インタフェース部
８        ＲＡＭ（記憶手段）
９        マイクロコンピュータ（システム制御手段）
１０      ＲＯＭ（記憶手段）
１１      レーザ出力制御回路
１２      ＬＤＤ（レーザドライバ）
１３      スピンドルモータ
１４      モータ駆動回路
１５      モータ制御回路
２０      ＬＤ（レーザダイオード）
２１      温度センサ（温度測定手段）
２２      Ａ／Ｄコンバータ
２３      レーザ出力算出部（算出手段）
２４      温度比較判定部（温度比較判定手段）
２５      レーザ出力補正部（レーザ出力補正手段）
２６      ＯＰＣ処理部（ＯＰＣ処理手段）
３１      第一記憶部（記憶手段）
３２      第二記憶部（他の記憶手段）
４０      ＦＭＤ（フロントモニタダイオード）
４１      ＡＰＣ回路
５０      ＯＢＬ（対物レンズ）
６０      レンズホルダ
９０      ＦＰＣ（フレキシブル回路体）
９５      曲部
１００    光ディスク装置（ディスク装置）
１００ｍ  中央部
１０１    光ディスク装置本体（ディスク装置本体）
１０２    前側開口部（開口部）
１０３    収容室（収容部）
１０５    筐体
１２０    ターンテーブル
１２５    チャッキング部材
１５０    トレー
１５１    トレー本体
１５１ｄ  ディスク収容部
１５１ｅ  周縁部
１５３    レーザ出射用開口部（開口部）
１５５    フロントパネル（パネル）
２００    光ディスク（ディスク）
２０１    記録面（記録部）
２０５    内周部（ＰＣＡ部）
２０６    内周部
２０６ｓ  信号内周部
２０７    外周部
２０７ｍ  最外周部
２０７ｓ  信号外周部
Ｐ        回転方向
Ｑ        内外方向（移動方向）
Ｓ        前後方向
【図１】
2005276411.tif 000007
【図２】
2005276411.tif 000008
【図３】
2005276411.tif 000009
【図４】
2005276411.tif 000010
【図５】
2005276411.tif 000011
【図６】
2005276411.tif 000012